(57)【特許請求の範囲】
【請求項１】
データ送信を行う際に、無線リソースの割り当てを要求するスケジューリング要求信号を、上り伝送路を介して基地局に通知し、下り伝送路を介して通知された前記基地局によるスケジューリング結果に応じて、前記基地局へのデータ送信を行う移動通信端末装置において、
少なくともひとつの前記基地局から送信された信号を受信して前記下り無線リンクの状態を推定する下り無線リンク状態推定部と、
少なくともひとつの前記基地局において測定された上り無線リンクの状態を示す状態情報を受信する上り無線リンク状態情報受信部と、
前記上り無線リンク状態情報受信部が前記状態情報を受信しており、かつ、前記下り無線リンクの状態が予め設定された条件を満たす前記基地局を選択するセル選択部と、
このセル選択部が選択した前記基地局に対して前記スケジューリング要求信号を送信する送信部とを設け、
送信部は、セル選択部が選択した基地局が複数ある場合、複数の前記基地局の上り無線リンクおよび下り無線リンクの状態に応じて、データ再送方式を選択的に切り換えることを特徴とする移動通信端末装置。
【発明の詳細な説明】
【技術分野】
【０００１】
この発明はＷ−ＣＤＭＡ（Wideband Code Division Multiple Access：符号分割多重通信）方式で通信を行う基地局、移動通信端末装置に関し、特に端末へのスケジューリングを行うプライマリセルの選択を行う方法に関する。
【背景技術】
【０００２】
従来のワイヤレスパケット通信においては、端末にデータが到着次第、データを送信するものであり積極的にスケジューリングを行うことは考慮されていなかった。しかし、送信するデータが高速になるにつれて、端末が送信する電力も大きくなり、必然的に基地局における干渉量も大きくなる。そのため、基地局に設けられたスケジューラにより、各端末の送信を制御することで干渉量の増大を防ぎ、スループットを向上させることが求められている。複数の基地局のうち、端末へのスケジューリングを担当する基地局をプライマリセルもしくはサービングセルと呼ぶ。【０００３】
しかしながら、ＦＤＤ（Frequency Division Duplex）を用いた通信システムでは、上り伝送路の通信品質が良好であっても、下り伝送路の通信品質が良好とは限らない。下り伝送路の通信品質が悪い場合、下り伝送路を介して基地局から送信された応答信号（ＡＣＫ／ＮＡＣＫ）を端末が受信することができないため、スループットが低下する。このように、上り伝送路と下り伝送路で通信品質が異なることにより、基地局と端末間で通信不良が発生し、システム全体のスループットが低下する現象をリンクインバランスという。【０００４】
リンクインバランスの検出方法については特許文献１、上り伝送路の通信品質によってプライマリセルを選択するシステムについては特許文献２、下り伝送路の通信品質によるプライマリセルを選択するシステムについては非特許文献１に開示されている。【０００５】
【特許文献１】特表２００２−５２７９６３号公報
【０００６】
特許文献１には、リンクインバランスを検出する方法およびその装置について開示されている。しかし、特許文献１が開示しているのは、ＩＳ−９５と呼ばれるシステムにおいて用いられる方法であって、具体的には、最大アクセスプローブとよばれる端末が、基地局へ接続を試みた回数によって、リンクインバランスの発生をプロトコル的に判断する方法である。【０００７】
【特許文献２】特表２００３−５１０８６２号公報
【０００８】
特許文献２には、下りパケット通信を行うために、基地局制御装置が所定の基地局を選択する点が開示されている。この基地局制御装置は、基地局が測定し、基地局制御装置に伝達したＳＩＲ（Signal to Interference Ratio）のような上り伝送路の通信品質に基づいて、所定の基地局を選択するものである。特許文献２に開示された基地局制御装置は、基地局を選択するにあたり下り伝送路の通信品質を考慮していない。また、特許文献２に開示された基地局制御装置は、基地局から伝達されたＳＩＲに基づいて所定の基地局を選択するのであるが、基地局から基地局制御装置にＳＩＲを伝達する時間がかかるため、上り伝送路の通信品質が激しく変動する環境下では、適切な基地局を選択できないという問題がある。【０００９】
【非特許文献１】３ＧＰＰ  ＲＡＮ１文書 Ｒ１−０４０４９２
【００１０】
非特許文献１には、スケジューリング用のプライマリセルを決定する端末を示唆されている。具体的には、パスロスおよび上り負荷量に基づいて端末はプライマリセルを選択する点が言及されている。
【発明の開示】
【発明が解決しようとする課題】
【００１１】
従来の下りパケット通信においては下りの伝送路の品質より、端末がプライマリセルを選択していた。しかし、プライマリセルを選択するにあたり、リンクインバランスの発生を考慮していないため、端末から基地局への上り伝送路の品質がよくない場合、基地局は移動局に対して、過剰な下り送信電力を用いてＡＣＫ/ＮＡＣＫを送出することになる。本発明は、特にリンクインバランスを考慮してプライマリセルを選択することで、システム全体のスループットを改善する基地局、移動通信端末装置を提供することを主要な目的とする。また、リンクインバランス発生時においても、セル選択およびＨＡＲＱ方式の選択を切り替えることで、上り伝送路の通信品質を確保し、ＡＣＫ/ＮＡＣＫ送出に必要な下り電力を押さえることができ、さらにはスループットの向上を実現する。
【課題を解決するための手段】
【００１２】
この発明は、上記のような問題点を解消するためになされたもので、リンク数およびそれらのリンク品質に従って、リンクインバランスを回避するプライマリセルを選択および品質を確保するための適切なハイブリッドＡＲＱ方法の選択によりスループットを向上させる。さらに上記を実現する端末、基地局、基地局制御装置やその装置を利用した移動体通信システムを提供することを目的とする。【００１３】
本発明に係る基地局は、移動局から送信され、上り無線リンクを介して伝達された無線リソース割当要求に応じて、移動局に無線リソースの割り当てを行うスケジューリングを行い、このスケジューリングの結果を下り無線リンクを介して移動局に通知する基地局において、移動局から送信された信号を受信して上り無線リンクの状態を推定する上り無線リンク状態推定部と、移動局において測定された下り無線リンクの状態を示す状態情報を受信する下り無線リンク状態情報受信部と、この下り無線リンク状態情報受信部が状態情報を受信しており、かつ上り無線リンク状態推定部が推定した上り無線リンクの状態が、予め設定されたスケジューリング許可条件を満たす場合に、移動局へのスケジューリングを許可するスケジューリング許可判定部とを設けたものである。【００１４】
本発明に係る移動通信端末装置は、データ送信を行う際に、無線リソースの割り当てを要求するスケジューリング要求信号を、上り伝送路を介して基地局に通知し、下り伝送路を介して通知された前記基地局によるスケジューリング結果に応じて、基地局へのデータ送信を行う移動通信端末装置において、少なくともひとつの基地局から送信された信号を受信して下り無線リンクの状態を推定する下り無線リンク状態推定部と、少なくともひとつの基地局において測定された上り無線リンクの状態を示す状態情報を受信する上り無線リンク状態情報受信部と、上り無線リンク状態情報受信部が状態情報を受信しており、かつ、下り無線リンクの状態が予め設定された条件を満たす基地局を選択するセル選択部と、このセル選択部が選択した基地局に対してスケジューリング要求信号を送信する送信部とを設けたものである。【００１５】
本発明に係るプライマリセル選択方法は、移動局から送信された信号を受信して、移動局から基地局への上り無線リンクの状態を推定する上り無線リンク状態推定ステップと、基地局から送信された信号を受信して、基地局から移動局への下り無線リンクの状態を示す状態情報を移動局から基地局に送信する下り無線リンク状態情報送信ステップと、下り無線リンク状態情報送信ステップにより送信された、下り無線リンクの状態情報と、上り無線リンク状態推定ステップにより推定された上り無線リンクの状態が所定のスケジューリング許可条件を満足するか判断し、スケジュール許可条件が満足される場合には移動局に無線リソースを割り当てるスケジューリングを許可するスケジューリング許可判定ステップと、このスケジューリング許可判定ステップによりスケジューリングが許可された移動局にスケジューリングを行うとともに、スケジューリング結果を移動局に通知するスケジューリング結果通知ステップと、スケジューリング結果を受信した移動局が基地局をプライマリセルとして決定し、基地局に対してデータを送信するデータ送信ステップとを含むものである。【００１６】
本発明に係るプライマリセル選択方法は、基地局から送信された信号を受信して、基地局から移動局への下り無線リンクの状態を推定する下り無線リンク状態推定ステップと、移動局から送信された信号を受信して、移動局から基地局への上り無線リンクの状態を示す状態情報を基地局から移動局に送信する上り無線リンク状態情報送信ステップと、上り無線リンク状態情報送信ステップにより送信された、上り無線リンクの状態情報と、下り無線リンク状態推定ステップにより推定された下り無線リンクの状態が予め設定された条件を満たす基地局を選択するセル選択ステップと、このセル選択ステップが選択した基地局に対してスケジューリング要求信号を送信する送信ステップと、スケジューリング結果を受信した移動局が基地局をプライマリセルとして決定し、基地局に対してデータを送信するデータ送信ステップとを含むものである。
【発明の効果】
【００１７】
本発明に係る基地局は、移動局から送信され、上り無線リンクを介して伝達された無線リソース割当要求に応じて、移動局に無線リソースの割り当てを行うスケジューリングを行い、このスケジューリングの結果を下り無線リンクを介して移動局に通知する基地局において、移動局から送信された信号を受信して上り無線リンクの状態を推定する上り無線リンク状態推定部と、移動局において測定された下り無線リンクの状態を示す状態情報を受信する下り無線リンク状態情報受信部と、この下り無線リンク状態情報受信部が状態情報を受信しており、かつ上り無線リンク状態推定部が推定した上り無線リンクの状態が、予め設定されたスケジューリング許可条件を満たす場合に、移動局へのスケジューリングを許可するスケジューリング許可判定部とを設けたので、リンクインバランスの発生を考慮して、スケジューリング対象となる移動局を適切に選択することができる。【００１８】
本発明に係る移動通信端末装置は、データ送信を行う際に、無線リソースの割り当てを要求するスケジューリング要求信号を、上り伝送路を介して基地局に通知し、下り伝送路を介して通知された前記基地局によるスケジューリング結果に応じて、基地局へのデータ送信を行う移動通信端末装置において、少なくともひとつの基地局から送信された信号を受信して下り無線リンクの状態を推定する下り無線リンク状態推定部と、少なくともひとつの基地局において測定された上り無線リンクの状態を示す状態情報を受信する上り無線リンク状態情報受信部と、上り無線リンク状態情報受信部が状態情報を受信しており、かつ、下り無線リンクの状態が予め設定された条件を満たす基地局を選択するセル選択部と、このセル選択部が選択した基地局に対してスケジューリング要求信号を送信する送信部とを設けたので、リンクインバランスの発生を考慮して適切にプライマリセルを選択することができる。【００１９】
本発明に係るプライマリセル選択方法は、移動局から送信された信号を受信して、移動局から基地局への上り無線リンクの状態を推定する上り無線リンク状態推定ステップと、基地局から送信された信号を受信して、基地局から移動局への下り無線リンクの状態を示す状態情報を移動局から基地局に送信する下り無線リンク状態情報送信ステップと、下り無線リンク状態情報送信ステップにより送信された、下り無線リンクの状態情報と、上り無線リンク状態推定ステップにより推定された上り無線リンクの状態が所定のスケジューリング許可条件を満足するか判断し、スケジュール許可条件が満足される場合には移動局に無線リソースを割り当てるスケジューリングを許可するスケジューリング許可判定ステップと、このスケジューリング許可判定ステップによりスケジューリングが許可された移動局にスケジューリングを行うとともに、スケジューリング結果を移動局に通知するスケジューリング結果通知ステップと、スケジューリング結果を受信した移動局が基地局をプライマリセルとして決定し、基地局に対してデータを送信するデータ送信ステップとを実行するので、リンクインバランスの発生を考慮して、適切にプライマリセルを選択することができる。【００２０】
本発明に係るプライマリセル選択方法は、基地局から送信された信号を受信して、基地局から移動局への下り無線リンクの状態を推定する下り無線リンク状態推定ステップと、移動局から送信された信号を受信して、移動局から基地局への上り無線リンクの状態を示す状態情報を基地局から移動局に送信する上り無線リンク状態情報送信ステップと、上り無線リンク状態情報送信ステップにより送信された、上り無線リンクの状態情報と、下り無線リンク状態推定ステップにより推定された下り無線リンクの状態が予め設定された条件を満たす基地局を選択するセル選択ステップと、このセル選択ステップが選択した基地局に対してスケジューリング要求信号を送信する送信ステップと、スケジューリング結果を受信した移動局が基地局をプライマリセルとして決定し、基地局に対してデータを送信するデータ送信ステップとを実行するので、リンクインバランスの発生を考慮して、スケジューリング対象となる移動局を適切に選択することができる。
【図面の簡単な説明】
【００２１】
【図１】通信システムの構成を示す説明図である。
【図２】端末と基地局を接続するチャネルの説明図である。
【図３】本発明の実施の形態１にかかる基地局の構成を示すブロック図である。
【図４】端末とひとつのプライマリセルが無線接続されている状況を示す説明図である。
【図５】端末とひとつ以上のプライマリセルが無線接続されている状況を示す説明図である。
【図６】図３に示す基地局と通信する移動通信端末装置の構成を示すブロック図である。
【図７】リンクインバランスが発生した通信システムの状況を示す説明図である。
【図８】本発明の実施の形態１に係る基地局が実行する、上下品質を考慮したプライマリセル選択処理を説明するフローチャートである。
【図９】本発明の実施の形態１に係る基地局が実行する、上下品質を考慮したプライマリセル選択処理の変形例を説明するフローチャートである。
【図１０】端末による選択ペナルティ係数の決定処理を説明するフローチャートである。
【図１１】選択ペナルティ係数を基地局に通知する信号のフォーマットを示す図である。
【図１２】選択ペナルティ係数を用いずにプライマリセルを選択する場合と、選択ペナルティ係数を用いてプライマリセルを選択する場合の比較例を示す説明図である。
【図１３】下り伝送路の通信品質に応じて基地局側の閾値を調整するプライマリセル選択処理について説明するフローチャートである。
【図１４】閾値を基地局に通知する信号のフォーマットを示す図である。
【図１５】本発明の実施の形態２に係る端末の構成を示すブロック図である。
【図１６】図１５に示す移動通信端末装置と通信を行う基地局の構成を示すブロック図である。
【図１７】本発明の実施の形態２に係る移動通信端末装置によるプライマリセル選択処理を示すフローチャートである。
【図１８】本発明の実施の形態２に係る移動通信端末装置が実行する、上下品質を考慮したプライマリセル選択処理の変形例を説明するフローチャートである。
【図１９】基地局による選択ペナルティ係数決定処理を説明するフローチャートである。
【図２０】選択ペナルティ係数、閾値上下コマンドを端末に送信する信号のフォーマットを示す図である。
【図２１】本発明の実施の形態２に係る移動通信端末装置が実行する、上下品質を考慮したプライマリセル選択処理の変形例を説明するフローチャートである。
【図２２】Ｃｈａｓｅ  ＣｏｍｂｉｎｉｎｇとＩＲの特性の説明する説明図である。
【図２３】端末が複数の基地局と通信するＳＨＯ状態であり、かつマクロ選択合成を行っている状態を説明する説明図である。
【図２４】本発明の実施の形態３に係る移動通信端末装置の構成を示すブロック図である。
【図２５】複数のセルのうち、あるセルの通信品質が突出してよいケースを示す説明図である。
【図２６】ＨＡＲＱ方式を通知するため、端末が送信する信号のフォーマットを示す説明図である。
【図２７】端末が複数の基地局と通信するＳＨＯ状態であり、かつ、各リンクの通信品質が悪いケースが示す説明図である。
【図２８】端末がＨＡＲＱ方式をマクロ選択合成からＩＲに切り換える処理を説明するフローチャートである。
【図２９】端末から基地局にＩＲモードを使用することを基地局に通知する信号のフォーマットを示す説明図である。
【図３０】上り伝送路の通信品質に基づいてプライマリセルを選択する基地局の処理を示すフローチャートである。
【図３１】端末から基地局に下り伝送路の通信品質を通知する信号のフォーマットを示す説明図である。
【符号の説明】
【００２２】
１００  端末、１０１  基地局、１０２  基地局制御装置、
３１１  送信バッファ、３１２  スケジューリング要求情報作成部、
３１３  Ｅ-ＤＰＣＣＨ送信部、３１４  スケジューリング受信部、
３１５  送信許可制御部、３１６  Ｅ−ＤＣＨ送信部、３１７  応答信号受信部、
３１８  再送制御部、３１９  プライマリセル選択部、
３２０  ＣＰＩＣＨ受信レベル情報送信部、
４１２  Ｅ−ＤＰＣＣＨ受信部、４１３  スケジューリング要求情報受信部、
４１４  上りスケジューラ、４１５  スケジューリング情報シグナリング部、
４２０  負荷量通知部、４２１  スケジュール許可判定部、
４２２  ＣＰＩＣＨレベル受信部、４２３  プライマリセル選択指示受信部、
４２４  閾値受信部、
【発明を実施するための最良の形態】
【００２３】
実施の形態１．
図１は、パケット通信システムの構成を示す説明図である。端末１００はユーザが利用する装置である。端末１００は複数の基地局１０１ａ、１０１ｂ、１０１ｃのひとつまたは複数と無線を介して通信する。基地局１０１ａ、１０１ｂ、１０１ｃは基地局制御装置１０２を介してネットワーク側（公衆回線網等）と接続される。このようなシステム構成を用いることにより、端末１００は複数の基地局との間で無線リンクを保持するソフトハンドオーバー（Soft Hand Over以下、ＳＨＯ）とよばれる処理を行うことができる。なお、Ｗ−ＣＤＭＡシステムでは端末１００をＵＥ（User Equipment）、基地局１０１をＮｏｄｅ−Ｂ、基地局制御装置１０２をＲＮＣ(Radio Network Controller)と呼ぶ。高速な上りパケット通信を行うシステムでは、特定の基地局がある端末に対してスケジューリングを担当する場合がある。スケジューリングを担当する基地局をプライマリセルないしサービングセルと呼ぶ場合もある。また、基地局の別名としてセルという用語も使われる。【００２４】
図２は、パケット通信システムのチャネル構成を示す説明図である。ここでは例としてＷ−ＣＤＭＡシステムの端末１００と基地局１０１間の無線区間におけるチャネル構成を説明する。なお、チャネル名称は仮称であり今後変更されることがありうる。また、実際のチャネルの使われ方としては、複数の制御チャネルを一本のチャネルに相乗りさせることも行われる可能性がある。以下、図２を用いて、基地局から端末に対する下り方向のチャネルを説明する。セル全体にすべてのタイミングの基準を報知するＣＰＩＣＨ（Common Pilot  Channel）２００、その他、報知情報を各端末へ報知するためのＰ−ＣＣＰＣＨ(Primary-Common Control Physical Channel)２０１がある。また、下り方向の共通チャネルを乗せるためのチャネルとしてＳ−ＣＣＰＣＨ(Secondary-Common Control Physical Channel)２０２がある。さらに、下り方向のチャネルには、上りパケット通信のために利用されるものとして、制御情報の送信用としてスケジューラによる割り当て位置を通知するための制御情報の送信用としてＤＬ-Ｅ−ＤＰＣＣＨ（Downlink Enhancement-Dedicated Physical Control Channel）２０５、基地局の受信の成功/失敗を通知するためのＡＣＫ/ＮＡＣＫ( Ack/Nack Channel)２０８が存在する。なお、ＤＬ-Ｅ−ＤＰＣＣＨ２０５およびＡＣＫ/ＮＡＣＫ２０８は独立したチャネルでなく他のチャネルに相乗りさせる形でもよい。【００２５】
さらに図２を用いて、端末から基地局に対する上り方向のチャネルを説明する。上りパケット通信が利用されるものとして、端末の送信データの有無など端末の状態を基地局のスケジューラに通知するための制御情報を送信するＵＬ−Ｅ−ＤＰＣＣＨ（UPLINK  Enhancements-Dedicated Physical Control Channel）２０４、上りパケットのデータ本体であるＥ−ＤＣＨ（Enhanced Uplink Dedicated Channel）２０７が存在する。Ｅ-ＴＦＣＩ２０６は、端末１００から基地局１０１に送信したＥ−ＤＣＨ２０７のトランスポートフォーマットを通知する。基地局１０１は、Ｅ−ＴＦＣＩ２０６を介して端末１００から伝達された、Ｅ−ＤＣＨ２０７のトランスポートフォーマットに基づいて復調を行う。なお、このＥ−ＴＦＣＩ２０６は独立したチャネルにしてもよく、ＵＬ−Ｅ−ＤＰＣＣＨ２０４に相乗りさせてもよい。また、従来のＤＰＣＣＨのチャネルに相乗りさせてもよい。【００２６】
上りおよび下り双方のチャネルに設定されるものとして、特定端末との通信のために個々に設定されるＤＰＣＨ（Dedicated Physical channel）２０３があり、上りリンク及び下りリンクにそれぞれ設定され、音声やデータ等の通信や上位レイヤのシグナリングのために利用される。ＤＰＣＨ２０３は、物理チャネルとしてはデータに関するビットを送信するＤＰＤＣＨ（Dedicated Physical Data channel）と制御に関するビットを送信するＤＰＣＣＨ(Dedicated Physical Control channel)に分けて扱われることもある。【００２７】
図３は、本発明の実施の形態１に係る基地局の構成を示すブロック図である。図３において、変調部４００は、各チャネルの信号を多重化して拡散処理し、所望の搬送波に変調する。電力増幅部４０１は、変調部４００から出力された信号を所望の送信電力まで増幅する。電力増幅部４０１により増幅された信号は、アンテナ４０２を介して移動通信端末装置（以下、端末）に送信される。また、アンテナ４０２は端末から送信された電波を受信する。アンテナ４０２により受信された受信信号は、低雑音増幅部４０３において復調処理に必要なレベルまで増幅される。復調部４０４は、端末側で拡散処理に用いた符号と同一の符号を用いて、端末から送信されて基地局が受信した信号に逆拡散処理を施し、元のチャネルの信号に分離する。【００２８】
また、個別チャネルの通信に必要な構成として、図３に示す基地局は、制御部４０５、プロトコル処理部４０６を備える。さらに、図３に示す基地局は、自らが管轄するセルに存在する各端末の送信電力を個別に制御するため、ＤＰＣＨ受信部４０７、干渉量測定部４０８、ＳＩＲ算出部４０９、ＴＰＣコマンド生成部４１０、ＤＰＣＨ送信部４１１を備える。ＤＰＣＨ受信部４０７、干渉量測定部４０８、ＳＩＲ算出部４０９は、移動局から送信された信号を受信して上り無線リンクの状態を推定する上り無線リンク状態推定部である。制御部４０５は、データの受け渡しやタイミングなどの制御を行う。プロトコル処理部４０６は、基地局制御装置と基地局との通信の処理を行うとともに、通信のプロトコルを処理する。ＤＰＣＨ受信部４０７は、復調部４０４の復調処理により分離されたＤＰＣＣＨのデータを取り出して干渉量測定部４０８に出力する。干渉量測定部４０８は、低雑音増幅部４０３からの受信強度および復調部４０４からの既知コード信号を取り除いて干渉量を測定し、測定結果を干渉量通知部４１９とＳＩＲ算出部４０９に出力する。【００２９】
干渉量通知部４１９は、干渉量測定部４０８が測定した干渉量を、プロトコル処理部４０６を介して基地局制御装置に通知する。一方、ＳＩＲ算出部４０９は、干渉量測定部４０８が測定した干渉量より信号と干渉の比（ＳＩＲ：Signal to Interference Ratio）を算出する。ＳＩＲ算出部４０９は算出したＳＩＲをＴＰＣコマンド生成部４１０に出力する。ＴＰＣコマンド生成部４１０は、基地局制御装置から指定されたターゲットＳＩＲ値と、ＳＩＲ算出部４０９が算出した現在のＳＩＲ値を比較する。そして、現在のＳＩＲ値がターゲットＳＩＲ値より低い場合、ＴＰＣコマンド生成部４１０は、端末に送信電力を増加させるよう指示するＴＰＣ（Transmission Power Control）コマンドを生成する。また、現在のＳＩＲ値がターゲットＳＩＲ値より高い場合、ＴＰＣコマンド生成部４１０は、端末に送信電力を絞るよう指示するＴＰＣコマンドを生成する。ＤＰＣＨ送信部４１１は、ＴＰＣコマンド生成部４１０が生成したＴＰＣコマンドをＤＰＣＣＨに挿入し、端末に送信するために変調部４００に出力する。【００３０】
また、スケジューリングに必要な構成として、図３に示す基地局は、Ｅ−ＤＰＣＣＨ受信部４１２、スケジューリング要求情報受信部４１３、上りスケジューラ４１４、スケジューリング情報シグナリング部４１５を備える。図３において、Ｅ−ＤＰＣＣＨ受信部４１２は、端末から送信されたスケジューリング要求情報を得るために、復調部４０４が復調して分離したＥ−ＤＰＣＣＨに含まれるスケジューリング要求情報を復号する。復号されたスケジューリング要求情報はスケジューリング要求情報受信部４１３において取り出されて、上りスケジューラ４１４に入力される。上りスケジューラ４１４は、端末からスケジューリング要求情報が伝達されたことを契機としてスケジューリングを行う。【００３１】
ここで、スケジューリング処理について説明する。スケジューリングとは、端末から通知されたスケジューリング要求に応じて、基地局が各端末に対して送信タイミングなどの無線リソースを割り当てる無線リソース制御処理である。基地局は、スケジューリング結果を各端末が反映した場合にセル全体のスループットが最も高くなるように、各端末からの送信電力の増加分が送信電力余裕値以内になるよう無線リソースを制御する。スケジューリング要求を行う際、端末は、送信パケットデータのデータ量などの情報を含むスケジューリング要求を基地局に送信する。基地局は、伝送路の品質や端末の送信電力のマージン等に基づいて無線リソースの割り当て（スケジューリング）を行い、そのスケジューリング結果を下りリンク用のチャネルで端末へ通知する。端末は、基地局から伝達されたスケジューリング結果に従って、データ送信用のチャネルにパケットデータを乗せて基地局に送信する。基地局は、端末から送信されたパケットデータの受信判定結果の結果情報（ＡＣＫ／ＮＡＣＫ）を端末に伝達する。このように、基地局が端末に割り当てる無線リソースの制御、すなわちスケジューリングを行うことにより、上り送信で問題となる基地局における干渉量を適切に制御することができ、これにより高速通信を実現しながら無線リソースの節約を実現できる。【００３２】
同時に複数の基地局と１つの端末が接続状態にあるＳＨＯ状態においてスケジューラの動作のさせ方として２通りが存在する。図４に示すように、端末１００とスケジューリングを行う基地局１０１ｂ（スケジューラ）が１対１となる場合、シグナリングや制御はシンプルである。しかし、端末１００とスケジューリングを行う基地局１０１ｂ間の伝送路の通信品質が悪化した場合、ほかの基地局（たとえば１０１ａ、１０１ｃ）にスケジューラを移すには時間がかかる。また、図５に示すように、端末１００とスケジューリングを行う基地局１０１ａ〜１０１ｃ（スケジューラ）が１対多となる場合、端末が複数のスケジューラを同時に利用するため、シグナリングや制御は複雑になる。しかし、端末１００とスケジューリングを行う基地局１０１ａ、１０１ｂ、１０１ｃ間のいずれかの伝送路の通信品質が悪化しても、端末は伝送路の通信品質が良好ないずれかの基地局のスケジューラを利用して通信を継続できる。端末が複数の基地局を同時に利用している場合、端末が伝送路の通信品質に応じて、いずれかひとつの基地局に対してスケジューリング要求を指示することも可能である。端末にとって、スケジューリングをする可能性のある基地局は複数あるが、ある時点において端末へスケジューリングする基地局をプライマリセルとみなす。【００３３】
図３に示す基地局に設けられた上りスケジューラ４１４は、端末から送信されたスケジューリング要求に応じてスケジューリングを行い、スケジューリング結果をスケジューリング情報シグナリング部４１５に出力する。スケジューリング情報シグナリング部４１５は、スケジューリング要求を基地局に送信した各端末に対してスケジューリング結果を送信する。Ｅ−ＴＦＣＩ受信部４１６は、トランスポートフォーマットおよびＨＡＲＱ情報等を受信する。ＨＡＲＱ受信処理部４１７は、基地局から伝達されたスケジューリング結果にしたがって、端末が送信した送信パケットデータを含むＥ−ＤＣＨを受信する。応答信号送信部４１８は、ＨＡＲＱ受信処理部４１７が端末から送信された送信パケットデータを問題なく受信できた場合にはＡＣＫ信号を、受信できなかった場合にはＮＡＣＫ信号を端末に通知するために変調部４００に出力する。一方、端末から送信された送信パケットデータを受信できなかった場合、上りスケジューラ４１４は、端末に再度パケットデータを送信させるための再送処理を行う。干渉量通知部４１９は、基地局で測った干渉量を基地局制御装置に通知する。【００３４】
また、図３に示す本発明の実施の形態１に係る基地局は、ある端末のプライマリセルであるか基地局自身が判定するのに必要な構成として、負荷量通知部４２０、スケジュール許可判定部４２１、ＣＰＩＣＨレベル受信部４２２、プライマリセル選択指示受信部４２３、閾値受信部４２４を備える。スケジュール許可判定部４２１は、予め設定された閾値などのスケジューリング許可条件を用いて、その基地局がスケジューリングを担当するかを判定する。ＣＰＩＣＨレベル情報受信部４２２は、移動局において測定されたＣＰＩＣＨ受信レベルを、下り無線リンクの状態を示す状態情報として受信する下り無線リンク状態情報受信部である。プライマリセル選択指示受信部４２３においては、端末から送信されたプライマリセルの指示を受信する。負荷量通知部４２０において、上りスケジューラ４１４の動作状況を得てプロトコル処理部４０６を経由して基地局制御装置に負荷状況が通知される。プライマリセル選択指示受信部４２３は、２つのプライマリセル選択の方法が考えられる。【００３５】
第１の方法は、そのセルがプライマリセルかどうか、端末が基地局に指示するものである。端末がプライマリセルとして指示した基地局では、スケジュール許可判定部４２１は端末へのスケジューリングを許可し、スケジューラ４１４を動作させる。端末１００が基地局１０１にプライマリセルであることを指示し、基地局にスケジューリングさせる方法は、基地局制御装置を介在させない分、基地局と基地局制御装置間のシグナリングを省略でき、処理時間が短縮されるという利点がある。第２の方法は、ある端末のプライマリセルになりうる候補セルを、基地局を介して基地局制御装置に通知し、プライマリセル選択するものである。これはプライマリセルのシグナリングをまとめて一度にできるという利点がある。なお、プライマリセルを端末が決定する場合だけでなく、基地局が決定する場合もある。その場合は、端末からの指示はプライマリセル候補であり、その候補から最終的に基地局がプライマリセルを決定する。【００３６】
図６は、図３に示す基地局と通信する移動通信端末装置の構成を示すブロック図である。図６において、変調部３００は、各チャネルの信号を多重化し、所定の拡散符号を用いて拡散処理し、さらに所望の搬送波に変調する。電力増幅部３０１は、変調部３００から出力された信号を所望の電力まで増幅する。電力増幅部３０１により増幅された信号は、アンテナ３０２を介して基地局に送信される。また、アンテナ３０２は基地局から送信された電波を受信する。アンテナ３０２により受信された受信信号は、低雑音増幅部３０３において復調処理に必要なレベルまで増幅される。復調部３０４は、低雑音増幅部３０３により増幅された受信信号を逆拡散してもとのチャネルの信号に分離する。【００３７】
また、個別チャネルの通信に必要な構成として、図６に示す移動通信端末装置は、制御部３０５、プロトコル処理部３０６、ＤＰＣＨ送信部３０７、ＤＰＣＨ受信部３０８、ＣＰＩＣＨ受信部３０９を備える。ＣＰＩＣＨ受信部３０９は、下り無線リンクの状態を推定する下り無線リンク状態推定部である。制御部３０５はデータの受け渡しやタイミングなどの制御を行う。プロトコル処理部３０６は通信のプロトコルを処理するものである。ＤＰＣＨ送信部３０７やＤＰＣＨ受信部３０８は、プロトコルの信号を送受信する。ＣＰＩＣＨ受信部３０９は、共通パイロットチャネルの受信を行い、受信した共通パイロットチャネルのレベルをプロトコル処理部３０６へ渡す。プロトコル処理部３０６は、ＣＰＩＣＨ受信部３０９から伝達された共通パイロットチャネルの受信レベル基づいて、個別チャネルでソフトハンドオーバーをするセルの候補を基地局制御装置へ通知する。また、送信電力制御に必要な構成として、図６に示す移動通信端末装置は、ＴＰＣコマンド受信部３１０を備える。ＴＰＣコマンド受信部３１０は、ＤＰＣＨ受信部３０８からの制御情報が含まれるＤＰＣＣＨを取り出し、その中からＴＰＣコマンドを得る。そして、ＴＰＣコマンドの指示に従って、電力増幅部３０１が行う送信電力増幅処理を制御する。ＴＰＣコマンドは基地局から端末に対して、端末の送信電力の上げ下げを指示する。【００３８】
また、基地局側にスケジューリングを要求するための構成として、図６に示す移動通信端末装置は、送信バッファ３１１、スケジューリング要求情報作成部３１２、Ｅ-ＤＰＣＣＨ送信部３１３、スケジューリング受信部３１４、送信許可制御部３１５、Ｅ−ＤＣＨ送信部３１６、応答信号受信部３１７、再送制御部３１８、ＣＰＩＣＨ受信レベル情報送信部３２０を備える。送信バッファ３１１には制御部３０５からユーザのデータが入力される。スケジューリング要求情報作成部３１２は、送信バッファ３１１に入力されたユーザのデータに基づいてスケジューリング要求情報を作成する。Ｅ−ＤＰＣＣＨ送信部３１３は、スケジューリング要求情報作成部３１２が作成したスケジューリング要求情報を送信可能な形にエンコードし、変調部３００に出力する。変調部３００は、先に説明したとおり、入力された各種送信物理チャネルのデータ（ＤＰＤＣＨ、ＤＰＣＣＨ、Ｅ-ＤＰＣＣＨ）のデータを公知の技術により変調し、送信ベースバンド信号として電力増幅部３０１に出力する。電力増幅部３０１は、入力した送信ベースバンド信号を無線周波数信号に変換し、アンテナ３０２を介して基地局に送信する。【００３９】
端末からのスケジューリング要求情報を受信した基地局はスケジューリングを行う。そして、スケジューリング結果を端末に送信する。基地局側から伝達されたスケジューリング結果に基づいてデータ送信を行う構成として、図６に示す移動通信端末装置は、スケジューリング受信部３１４、送信許可制御部３１５、Ｅ−ＤＣＨ送信部３１６を備える。スケジューリング受信部３１４は、基地局側のスケジューラからの指示、すなわちスケジューリング結果を受信する。送信許可制御部３１５は、スケジューリング受信部３１４が受信した基地局側から伝達されたスケジューリング結果に応じて送信バッファ３１１から送信データを出力させる。Ｅ−ＤＣＨ送信部３１６は、送信バッファ３１１から出力された送信データをＥ−ＤＣＨが送信可能な形にエンコードして変調部３００に出力する。基地局は端末から送信された送信データを正常に受信すると、端末に対してＡＣＫ信号を送信する。また、基地局は端末から送信された送信データが正常に受信できなかったとき、端末に対してＮＡＣＫ信号を送信する。【００４０】
端末は基地局から伝達されたＡＣＫ／ＮＡＣＫ信号によって、端末から送信したデータが基地局に確実に伝達されたのか認識する。そして、端末はＡＣＫ信号を基地局から受信した場合には、次に送信する新しいパケットデータを選択し、ＮＡＣＫ信号を基地局から受信した場合には、ＨＡＲＱ（ハイブリッドＡＲＱ）モードに従った送信データの再送を行う。ＨＡＲＱモードに従ったデータ再送処理については後述するので、本実施の形態では説明しない。基地局から伝達されたＡＣＫ／ＮＡＣＫ信号に応じて新しいデータ送信ないしデータ再送を行う構成として、図６に示す移動通信端末装置は、応答信号受信部３１７、再送制御部３１８を備える。基地局から伝達されたＡＣＫ／ＮＡＣＫ信号は、低雑音増幅部３０３、復調部３０４にて復調処理されて応答信号受信部３１７に入力される。応答信号受信部３１７は、復調処理された受信信号に含まれるＡＣＫ／ＮＡＣＫ信号を認識して再送制御部３１８に出力する。再送制御部３１８は、基地局から伝達された信号がＡＣＫ信号である場合には次の新しいパケットデータを選択し、ＮＡＣＫの場合はＨＡＲＱモードに従った再送処理を行う。【００４１】
なお、ハイブリッドＡＲＱ（Automatic Repeat reQuest）とは、ＡＲＱ方式とＦＥＣ(Forward Error  Correction)との組み合わせにより品質を向上させる技術であり、品質が変化する伝送路に対しても再送により誤り訂正が有効に機能するという利点がある。特に再送にあたって初送の受信結果と再送の受信結果の合成をすることで更なる品質向上を得ることも可能である。【００４２】
リンクインバランスが発生すると、以下のような問題が発生する。たとえば、上りリンクの品質が良好で、下りリンクの品質が不良である場合、基地局は端末から送信された信号を問題なく受信できるが、端末は基地局から送信された応答信号（ＡＣＫ）を受信できない。基地局からのＡＣＫ信号を受信できなかった端末は、基地局に信号が届いていないと判断して再送処理を行うので、システム全体のスループットが劣化する。逆に上りリンクの品質が不良で、下りリンクの品質が良好である場合、端末は基地局からのＮＡＣＫ信号に基づいてデータを再送し、あるいは過剰な送信電力で通信をするので、システム全体のスループットが劣化する。【００４３】
リンクインバランスが発生している状況でプライマリセルを選択すると、以下のような問題が発生する。たとえば、下り伝送路の通信品質に基づいてプライマリセルを選択した場合、そのプライマリセルの基地局と端末間の下り伝送路の品質は良好であるにも関わらず、上り伝送路の品質が良好でない場合がある。このような場合、基地局は端末から送信された信号を受信できないため受信エラーと判定し、端末にＮＡＣＫ信号を送信する。基地局からＮＡＣＫ信号を受信した端末は、事前に定められた制限回数（時間）まで前回送信したパケットデータを再送することになる。このように、下り伝送路の通信品質が良好でも上り伝送路の通信品質が悪いセルはプライマリセルとして適切ではない。【００４４】
逆に、上り伝送路の通信品質に基づいてプライマリセルを選択した場合、図７に示すように、上り伝送路の通信品質が良好で下り伝送路の通信品質が悪い基地局１０１ｂが端末１００のプライマリセルとして選択される。このような場合、基地局１０１ｂは端末１００から送信された信号を問題なく受信できるため、応答信号として端末１００にＡＣＫ信号を送信する。しかし、下り伝送路の通信品質が悪いので、端末１００は基地局１０１ｂからのＡＣＫ信号を適切に受信できず、前回送信したデータが基地局で受信できなかったものと判断する。そして、事前に定められた制限回数（時間）まで、端末１００は基地局１０１ｂにデータを再送することになる。このように、上り伝送路の通信品質が良好でも下り伝送路の通信品質が悪い基地局１０１ｂはプライマリセルとして適切ではない。むしろ、上り伝送路の通信品質は基地局１０１ｂよりも劣るものの、下り伝送路の品質が良好な基地局１０１ａを端末１００のプライマリセルとして選択すべきである。上り高速パケット通信を有効に機能させるためには、上り伝送路および下り伝送路の品質がともに良好であることが必要であり、リンクインバランスが発生していないセルをプライマリセルとして選択することが望ましい。そのためには上り品質のみや下り品質のみではなく両者を考慮したセル選択が必要となる。【００４５】
図８は本発明の実施の形態１に係る基地局が実行する、上下品質を考慮したプライマリセル選択処理を説明するフローチャートである。基地局は、ＳＩＲを測定することにより上り伝送路の状態、たとえば通信品質を推定する。また、基地局は端末から通知されたＣＰＩＣＨ受信情報を状態情報として受信し、このＣＰＩＣＨ受信レベルに基づいて下り伝送路の通信品質を判断する。このように、基地局がプライマリセルを選択するシステムは、上り伝送路の通信品質の変化に応じた適切なプライマリセル選択ができる。また、上り伝送路および下り伝送路の通信品質に基づいてプライマリセルを選択するので、リンクインバランスが発生しているプライマリセルとして選択することを防止することができ、システム全体のスループットを改善することができる。【００４６】
以下、図８に基づいて上り伝送路および下り伝送路の通信品質を考慮したプライマリセル選択処理を説明する。ステップＳＴ７００において、端末は、基地局が端末にタイミングの基準を報知するために用いるＣＰＩＣＨ（Common-Pilot Channel）を受信する。このとき、端末は在圏するセルの基地局から送信されたＣＰＩＣＨのみならず、隣接するセルの複数の基地局からＣＰＩＣＨを受信している。ステップＳＴ７０１において、端末は、受信した複数の基地局からのＣＰＩＣＨ受信信号の受信レベルを比較して、ＡＣＫ／ＮＡＣＫ応答信号を問題なく受信できる、下り伝送路の通信品質が良好な基地局を特定する。そして、ステップＳＴ７０２において、端末は、ＣＰＩＣＨの受信レベルに基づいて判断した受信品質の良好な基地局へ受信ＣＰＩＣＨのレベルを状態情報として通知する。端末は、ＣＰＩＣＨの受信レベルが悪い基地局に対して、受信ＣＰＩＣＨレベルの通知は行わない。このように、端末から基地局に受信ＣＰＩＣＨの受信レベルを通知することにより、基地局は下り伝送路の通信品質を認識することができる。言い換えれば、端末は、ＣＰＩＣＨ受信レベルが良好でない基地局へはＣＰＩＣＨ受信レベルの通知を行わないので、基地局側ではＣＰＩＣＨ受信レベルを通知してきた端末への下り伝送路の品質は良好なものとみなすことができる。ステップＳＴ７０３において、端末はＤＰＣＨ送信部３０７からＤＰＣＣＨを送信する。【００４７】
図３１は、端末から基地局へ下り伝送路の通信品質情報を通知する信号のフォーマットを示す図である。図３１(ａ)に示す信号のフォーマットは、ＡＣＫ/ＮＡＣＫ部７００とＣＱＩ（Channel Quality Indicator）部７０１を含んでいる。下りパケット通信用のＣＱＩはセルを区別する必要はない。一方、図３１(ｂ)に示す上りパケット用のフォーマットは、ＡＣＫ／ＮＡＣＫ部７００の替わりに、基地局識別子７０２を含んでいる。また、基地局識別子７０２は、リンク数によってビット数が増えるため、ＳＨＯの各リンクのうち上位の品質のよいもののみに割り付けてビット数を減らすことも考えられる。【００４８】
基地局制御装置は、ステップＳＴ７０４において、各基地局から過去に通知されたＳＩＲ値を比較してプライマリセル選択に用いる閾値を決定し、ステップＳＴ７０５において、閾値を各基地局へ通知する。なお、基地局制御装置は、閾値としてではなくＴａｒｇｅｔ  ＳＩＲ値を各基地局に通知するようにしてもよい。基地局は、基地局制御装置から通知された閾値よりも端末からの上り伝送路の品質がよければ、その端末がその基地局自身とのみ無線リンクを張っている場合（１対１型）にはプライマリセル選択を行う。また、その端末がＳＨＯ状態であれば（１対多型）、その端末に無線リソースを割り当てるため、スケジューラを動作させる。ステップＳＴ７０６において、基地局のＤＰＣＨ受信部４０７は、端末から送信されたＤＰＣＣＨ信号からパイロット強度を得る。そして、ステップＳＴ７０７において、基地局の干渉量測定部４０８は干渉を測定する。ステップＳＴ７０６で得たパイロット強度とステップＳＴ７０７で測定した干渉に基づいて、基地局のＳＩＲ算出部４０９は、ステップＳＴ７０８でＳＩＲを算出する。こうして算出したＳＩＲにより、基地局は上り伝送路の通信品質を認識することができる。【００４９】
ステップＳＴ７０９において、基地局のスケジュール許可判定部４２１は、端末から通知された状態情報であるＣＰＩＣＨ受信レベルを受信し、かつ、ステップＳＴ７０８で算出したＳＩＲが所定のスケジューリング許可条件、ここでは閾値を超えているか判断する。基地局は、ＣＰＩＣＨ信号を端末から受信していれば、基地局から端末への下り伝送路の通信品質が良好であると判断でき、かつＳＩＲが所定の閾値を超えていれば端末から基地局への上り伝送路の通信品質が良好であると推定できる。このように、基地局は上り伝送路と下り伝送路の通信品質に基づいてプライマリセルの選択を行う。ステップＳＴ７０９の条件が満たされる場合、基地局は上り伝送路および下り伝送路ともに通信品質が良好であると判断してスケジューリングを許可し、ステップＳＴ７１０において、その端末のプライマリセルとしてスケジューリング処理を行う。そして、スケジューリング結果をその端末に通知する。一方、ステップＳＴ７０９の条件が満たされない場合、基地局は、ＣＰＩＣＨ受信レベルを通知してきた端末への下り伝送路の品質は良好であるものの、上り伝送路の通信品質に問題があり、いわゆるリンクインバランスが生じていると判断する。この場合、基地局はその端末のスケジューリング処理は行わない。つまり、基地局自身がその端末のプライマリセルとしては不適と判断することになる。ステップＳＴ７１２において、端末は基地局から通知されたスケジューリング結果に基づいて、Ｅ−ＤＣＨ送信部３１６からＥ-ＤＣＨを送信する。【００５０】
上記説明の本発明の実施の形態１に係る基地局は、端末からＣＰＩＣＨ受信レベルが通知されることにより、基地局から端末への下り伝送路の通信品質が良好であることを認識する。また、基地局は、端末から送信されたＤＰＣＣＨ信号のパイロット強度と干渉から求められたＳＩＲを閾値と比較することにより、端末から基地局への上り伝送路の品質が良好か判定する。そして、下り伝送路の品質と上り伝送路の品質がともに良好であれば、その端末に無線リソースを割り当てるスケジューリング処理を行う。このように、基地局自身が端末との上りおよび下り伝送路にリンクインバランスが発生していないか判断し、その端末のプライマリセルとして適当か判断するので、基地局と移動局間で不要の通信を抑制することができ、スループットを改善することができる。また、基地局制御装置ではなく、基地局が所定の移動局のプライマリセルとして適当か判断するので、たとえば、上り伝送路の通信品質などを基地局制御装置に通知する処理が不要となる。したがって、プライマリセル選択処理に要する時間を短縮でき、上り伝送路の通信品質の変化に速やかに対応することができる。より詳細には、伝送路の変化に速やかに対応できることにより、ＡＭＣ（Adaptive Modulation and Coding：適応変調符号化）を現在の伝送路品質に応じて適切に実行することが可能となり、伝送エラーの低減およびスループットの向上という効果を得ることも期待できる。【００５１】
上記説明の基地局は、端末が測定したＣＰＩＣＨ受信レベルが状態情報として通知されたことに基づいて、下り伝送路の通信品質が良好と判断していた。そして、ＳＩＲに基づいて上り伝送路の品質が良好と推定すれば、その端末へのスケジューリング処理を行っていた。しかし、端末から単にＣＰＩＣＨ受信レベルを状態情報として通知するのではなく、ＣＰＩＣＨ受信レベルに応じて上り伝送路の通信品質を「間引く」ための係数（選択ペナルティ）を、状態情報として基地局に通知する方法も考えられる。そこで、図９を用いて、端末から通知された「選択ペナルティ」に基づいて、プライマリセル選択を行う基地局の処理について説明する。なお選択ペナルティとは、基準となるＣＰＩＣＨ受信レベルよりも悪いＣＰＩＣＨ受信レベルにペナルティ係数を設定するものであるが、逆に、基準となるＣＰＩＣＨ受信レベルよりも良好なＣＰＩＣＨ受信レベルに係数を設定してもよい。いずれにせよ、基準となるＣＰＩＣＨ受信レベルに対して相対的に係数を設定するものであり、いずれを採用しても差し支えない。なお、ペナルティを送信することは一例であり、ペナルティ値を送信する替わりに、現在の品質を状態情報として送信（品質インジケータ）し、それをもとに受信側でペナルティを得るように構成しても、同様の効果を得ることができる。【００５２】
図９は、本発明の実施の形態１に係る基地局が実行する、上下品質を考慮したプライマリセル選択処理の変形例を説明するフローチャートである。なお、図９には図示していないが、図９のステップＳＴ１１００を実行する前に図８に示すステップＳＴ７００、ステップＳＴ７０１、ステップＳＴ７０３を実行しているものとする。また、基地局は、ステップＳＴ１１０１を実行する前に図８に示すステップＳＴ７０６〜ステップＳＴ７０８を実行しているものとする。図９に示すフローチャートでは、上り伝送路の通信品質として基地局で測定し、上り無線リンク状態推定結果として求めたＳＩＲ、下り伝送路の通信品質として端末から通知された選択ペナルティに基づいてプライマリセルが決定される。ここでいう選択ペナルティとは、下り伝送路の通信品質が悪いセルを選択しないようにするため、下り伝送路の通信品質が良くない場合、上り伝送路の通信品質を下り伝送路の通信品質に基づいて「間引き」、実際の上り伝送路の通信品質よりも仮想的に悪い品質とみなすための一種のパラメータである。選択ペナルティ係数を基地局に通知することにより、ＣＰＩＣＨ受信レベルを基地局に通知するよりもビット数や通信回数を減少させることができる。【００５３】
図９のステップＳＴ１１００において、端末は、ＣＰＩＣＨ受信部３０９が測定したＣＰＩＣＨレベルに基づいて、プライマリセル選択部３１９において選択ペナルティ値を算出する。そして、プライマリセル選択部３１９が算出した選択ペナルティ値を、Ｅ−ＤＰＣＣＨ送信部３１３を介して基地局へ通知する。基地局は、ステップＳＴ１１０１において、ＳＩＲ算出部４０９が算出した上り伝送路の通信品質（ＳＩＲ）を、端末から通知された選択ペナルティを用いて補正する。この処理により、上り伝送路の通信品質がよいセルであっても、下り伝送路の通信品質が悪い場合には、選択ペナルティ係数によって、上り伝送路の通信品質が「間引き」補正され、上り伝送路の通信品質が実際より低いものとみなされる。ステップＳＴ１１０２において、基地局は、端末から通知された選択ペナルティにより補正された上り伝送路の通信品質（みなし上り伝送路品質とよぶ）が閾値を越えているかを判断する。みなし上り伝送路品質が閾値以上であれば、ステップＳＴ１１０３においてスケジューリング処理を行う。そして、ステップＳＴ１１０４において、スケジューリング結果を端末に通知する。【００５４】
上記説明の「選択ペナルティ」とは、プライマリセル選択時に逆方向のチャネルの品質を反映した補正係数もしくは補正閾値であり、具体的な決定方法の例を以下に示す。図１０は、選択ペナルティ決定処理を説明するフローチャートである。図１０に示す選択ペナルティ決定処理は、図９のステップＳＴ１１００において端末により実行されるものである。以下、図１０を参照しながら、選択ペナルティ決定処理の詳細について説明する。ステップＳＴ１５００において、端末１００は複数の基地局からＣＰＩＣＨを受信し、各ＣＰＩＣＨの受信レベルを測定する。ステップＳＴ１５０１において、端末１００は、測定した複数のＣＰＩＣＨの受信レベルに基づいて、最もＣＰＩＣＨ受信レベルのよいセルを特定し、このセルのＣＰＩＣＨ受信レベルを「１」（１００％）とする。そして、ステップＳＴ１５０２において、端末１００は、測定した複数のＣＰＩＣＨ受信レベルのうち、ＡＣＫ/ＮＡＣＫを受信できる程度の受信レベルは有するものの、最もＣＰＩＣＨ受信レベルがよくないセルを特定し、このセルからのＣＰＩＣＨ受信レベルを「０」（０％）とする。以上の処理で、端末１００は、ＡＣＫ/ＮＡＣＫを受信できるセルのうち、最もＣＰＩＣＨ受信レベルのよいセルと、最もＣＰＩＣＨ受信レベルが悪いセルを認識したことになる。さらに端末１００は、ステップＳＴ１５０３において、「１」としたＣＰＩＣＨ受信レベルと「０」としたＣＰＩＣＨ受信レベルを基準として、各セルのＣＰＩＣＨ受信レベルを０％〜１００％の間で係数を設定する。そして、端末１００は上記説明のように設定したペナルティ係数をＣＰＩＣＨ受信レベルを測定した各基地局１０１に通知する。【００５５】
図１１は、図１０に示すような処理を行って設定した選択ペナルティ係数を基地局に通知する信号のフォーマットを示す図である。図１１に示す信号は、基地局識別子６００と係数６０１を含む。基地局識別子６００は選択ペナルティ係数の通知先となる基地局を識別するための識別子である。使用チャネルによって基地局が自動的に識別できる場合、たとえば、送信先となる基地局と個別に対応付けられる個別チャネルを用いて選択ペナルティ係数を基地局に通知する場合には、図１１に示す信号から基地局識別子６００を省略することができる。選択ペナルティ係数６０１は、実際の通信品質より低い値とみなす比率を送信する。なお係数の値の示し方としては真値でもよく、対数的な値でもよい。【００５６】
図１２は、ある基地局において、選択ペナルティ係数を用いずにプライマリセルを選択する場合と、選択ペナルティ係数を用いてプライマリセルを選択する場合の比較例を示す説明図である。以下の説明をするにあたり、上り伝送路の通信品質は端末２よりも端末１が良好であり、下り伝送路の通信品質は端末１よりも端末２が良好であると仮定する。また、下り伝送路の通信品質に基づいて、端末１は５０％、端末２は１００％の選択ペナルティ係数を基地局に通知しているものとする。図１２（ａ）はある基地局がそれぞれ測定した端末１および端末２の上り伝送路の通信品質Ａ、Ｂ（ともに上りＳＩＲ値）を用いてプライマリセルを選択するケースについて説明するものである。また、図１２（ｂ）はある基地局がそれぞれ測定した端末１および端末２の上り伝送品質を、端末１および２から通知された選択ペナルティ係数（係数が５０％、１００％）を用いて間引き補正した「みなし上り品質」ＣおよびＤを用いてプライマリセルを選択するケースについて説明するものである。図１２（ａ）の場合、端末１の上り伝送品質Ａ、端末２の上り伝送品質Ｂともに閾値ＴＨを超えているので、基地局はいずれの端末のプライマリセルとなってもかまわない。【００５７】
一方、図１２（ｂ）は、ある基地局がそれぞれ測定した端末１および端末２の上り伝送路の通信品質Ａ、Ｂを、選択ペナルティ係数により補正したみなし上り品質Ｃ、Ｄを用いてプライマリセルを選択する場合を説明するものである。この場合、端末１のみなし上り品質Ｃは閾値ＴＨを下回るが、端末２のみなし上り品質Ｄ（＝上り品質Ｂ）は閾値ＴＨを上回るので、基地局は端末２をプライマリセルとして動作し、端末２のスケジューリングを行う。このように、上記説明の基地局は、下り伝送路の通信品質が反映された選択ペナルティ係数を用いて上り伝送路の通信品質を補正してみなし上り伝送路品質を求め、プライマリセルを選択するので、下りチャネルのＡＣＫ/ＮＡＣＫエラーによるスループットの減少を防ぐことができる。【００５８】
図９に示すプライマリセル選択処理は、端末が基地局に下り伝送路の通信品質に応じた選択ペナルティを通知し、基地局はこの選択ペナルティに応じて上り伝送路の通信品質を補正することで、上り伝送路の通信品質が良好でも下り伝送路の通信品質が悪い端末のスケジューリングを行わないようにしていた。しかし、端末が基地局に下り伝送路の通信品質に応じた選択ペナルティを通知するのではなく、基地局がプライマリセル選択に用いる閾値、つまりスケジューリング許可条件を下り伝送路の通信品質に応じて調整するようにしても良い。そこで、図１３を用いて、下り伝送路の通信品質に応じて基地局側の閾値を調整するプライマリセル選択処理について説明する。【００５９】
図１３のステップＳＴ１２００において、基地局制御装置はプライマリセル選択処理に用いる閾値を、たとえばパスロス情報に基づいて設定して各基地局に通知する。一方、ステップＳＴ１２０１において、端末は下りＣＰＩＣＨ受信レベルを測定する。もし下りＣＰＩＣＨ受信レベルが低い（つまりＡＣＫ/ＮＡＣＫのエラーとなる確率が高い）場合、ステップＳＴ１２０２において、端末は、Ｅ−ＤＰＣＣＨ送信部３１３を介してプライマリセル選択に用いられる閾値を上げる制御コマンドを状態情報として基地局へ通知する。端末から基地局に閾値を上げるよう通知した結果、スケジューリングを行って無線リソースを割り当てる基地局がなくなってしまう可能性がある。そこで、端末は、ステップＳＴ１２０３において、スケジューリング情報受信部３１４が基地局からスケジューリング結果が通知されるか監視することで、スケジューリングを行う基地局があるか判定する。【００６０】
スケジューリングを行う基地局の有無を判定する方法として、スケジューラからの通知により判断する方法と端末が自身で判断する方法が考えられる。スケジューラからの通知により判断する方法では、基地局は、ＳＩＲレベルが閾値を越えたら端末に対してスケジューリング情報としてスケジューリング対象である通知をする。一方、ＳＩＲレベルが閾値を超えない場合、端末にスケジューリング対象外である通知をする。端末が自身で判断する方法では、端末は、一定期間内にスケジューリング情報が来る基地局はスケジューリング対象とみなし、一定期間内にスケジューリング情報が来なかった場合はその基地局はスケジューリング対象外になったとみなす。スケジューリング結果を通知する基地局がないと判断した場合、ステップＳＴ１２０４において、端末は、Ｅ−ＤＰＣＣＨ送信部３１３を介してプライマリセル選択に用いられる閾値を下げるコマンドを状態情報として基地局へ通知する。【００６１】
閾値制御コマンドを基地局へ通知する方法として、閾値を値として送信する方法と閾値の上げ下げを指示する制御コマンドを送信する方法が考えられる。図１４は、閾値を基地局に通知する信号のフォーマットを示す図である。図１４（ａ）は、閾値の値を基地局に通知する際に用いる信号フォーマットであり、図１４（ｂ）は、閾値の上げ下げを指定するコマンドを基地局に通知する際に用いる信号フォーマットである。図１４（ａ）のように、閾値を基地局に送信する場合には、基地局識別子８００と閾値８０１、エラーを検出するためのＣＲＣ８０２を付加する。そのチャネルの受信先が特定の基地局だけとなっている場合は、基地局識別子８００は省略できる。ＣＲＣ８０２を信号フォーマットに含ませることは必須ではない。しかし、受信を誤った場合に閾値が大きく変化してしまうため、エラー時に閾値の変更をしないために必要とするものである。閾値を直接基地局に通知する利点として、基地局側で閾値を速やかに変化させることができる点にある。しかしながら、通信するシグナリングは多くなるという問題もある。これを乗せるチャネルとしては末から基地局への制御情報を伝達するためにはＵＬ−Ｅ−ＤＰＣＣＨ２０４を利用する。【００６２】
また、図１４（ｂ）に示すフォーマットを用いて、閾値の上げ下げを指定するコマンドを基地局に通知する方法もある。図１４（ｂ）に示す信号フォーマットは、基地局識別子８００、閾値上下コマンド８０４を含む。閾値上下コマンド８０４は、閾値を上げ／下げを指定するものであるから、情報量としては１ビットで済む。しかし、複数ビット利用することもでき、複数ビット存在することでステップ幅を増やすことができる。また、１つのコマンドを複数ビットに渡って冗長に表現することでエラーを防ぐこともできる。これを乗せるチャネルとしては末から基地局への制御情報を伝達するためにはＵＬ−Ｅ−ＤＰＣＣＨ２０４を利用するが、シグナリングビット数が少ない場合には従来の個別チャネルの一部であるＤＰＣＣＨに存在するフィードバックビット（ＦＢＩ）を利用することも可能である。【００６３】
実施の形態２．
実施の形態１では、リンクインバランス発生時に適切なプライマリセル選択処理を実行するため、基地局が上り伝送路および下り伝送路の通信品質を考慮して、プライマリセルの選択処理をしていた。しかし、端末に上り伝送路と下り伝送路の通信品質を考慮したプライマリセル選択処理を実行させることも可能である。図１５は本発明の実施の形態２に係る端末の構成を示すブロック図である。図１５において、プライマリセル選択部３１９は、上り無線リンクの状態情報を受信しており、かつ下り無線リンクの通信品質が予め設定されたスケジューリング許可条件を満たす基地局を選択するセル選択部であり、スケジューリング処理を行うプライマリセルを上り伝送路の通信品質と下り伝送路の通信品質を考慮して選択する。ＤＰＣＨ受信部３０８は、基地局において測定された上り無線リンクの状態を示す状態情報、たとえばＳＩＲ値を受信する上り無線リンク状態情報受信部である。なお、図１５において図６と同一の符号は同一又は相当部分を示すので説明は省略する。また、図１６は図１５に示す移動通信端末装置と通信を行う基地局の構成を示すブロック図である。図１６に示す基地局は、図３に示す基地局からプライマリセル選択に必要な構成である、負荷量通知部４２０、スケジュール許可判定部４２１、ＣＰＩＣＨレベル情報受信部４２２、プライマリセル選択指示受信部４２３、閾値受信部４２４を除いたものである。図１６に示すその他の符号は図３に示す符号と同一又は相当部分を示すので説明は省略する。【００６４】
図１７は、本発明の実施の形態２に係る移動通信端末装置のプライマリセル選択処理を示すフローチャートである。以下、図１７を用いてプライマリセル選択処理について説明する。ステップＳＴ８００において、基地局は端末から基地局への上り伝送路の通信品質を測定し、測定した上り伝送路の通信品質を状態情報として端末に通知する。この上り伝送路の通信品質としては上り個別チャネルのＳＩＲ値を利用する。ステップＳＴ８０１において、端末はＣＰＩＣＨ受信部３０９により、基地局からのＣＰＩＣＨを受信する。このＣＰＩＣＨの受信レベルを測定することにより端末は下り伝送路の通信品質を認識することができる。そして、ステップＳＴ８０２において、端末は、基地局から通知された上り伝送路の通信品質と、ＣＰＩＣＨを受信することにより測定した下り伝送路の通信品質に基づいてプライマリセルを選択する。具体的には、上り伝送路の通信品質が良好で、かつＣＰＩＣＨの受信レベルが応答信号を受信するのに充分良好なセルをサーチする。端末は、このように決定した上り伝送路および下り伝送路ともに通信品質が良好なセルを基地局に通知する。この上り伝送路および下り伝送路ともに通信品質が良好なセルの通知には例えばＵＬ−Ｅ−ＤＰＣＣＨ２０４を利用する。端末が選択したセルの情報が基地局に通知されると、ステップＳＴ８０４において、基地局の上りスケジューラ４１４は、端末に無線リソースを割り当てるスケジューリング処理を行う。そして、ステップＳＴ８０５において、基地局はスケジューリング情報を端末にシグナリングする。このスケジューリング情報の通知には例えばＤＬ-Ｅ−ＤＰＣＣＨ２０５を利用する。スケジューリング情報を受信した端末は、ステップＳＴ８０６において、Ｅ−ＤＣＨ送信部３１６を介してＥ−ＤＣＨを送信する。【００６５】
上記説明の本発明の実施の形態２に係る移動通信端末装置は、基地局から上り伝送路の通信品質が通知されることにより上り伝送路の通信品質が良好であることを認識し、ＣＰＩＣＨ受信レベルを測定することにより下り伝送路の通信品質が良好であることを認識する。そして、上り伝送路の通信品質が良好で、下り伝送路の通信品質がＡＣＫ／ＮＡＣＫ応答信号の受信に必要な強度を持つ基地局にスケジューリング要求をするので、上りおよび下り伝送路にリンクインバランスが発生している基地局をプライマリセルとする問題を防止できる。したがって、基地局と移動局の信号の伝達が順調に行われるため、いわゆるスループットを改善することができる。また、端末自身が基地局からの下り伝送路の品質に基づいてプライマリセルを選択するので、最新の下り伝送路の通信品質が反映されていることになる。【００６６】
上記説明の端末は、基地局から通知された上り伝送路の通信品質により上り伝送路の通信品質が良好か判断していた。しかし、基地局から端末に通知する状態情報は、上り伝送路の通信品質そのものではなく、上り伝送路の通信品質を反映した選択ペナルティ係数を採用しても良い。そこで、図１８を用いて、基地局から通知された「選択ペナルティ」に基づいて、プライマリセル選択を行う端末の処理について説明する。なお、ここでいう選択ペナルティとは、上り伝送路の通信品質が良くないセルをプライマリセルとして選択しないように、下り伝送路の通信品質を上り伝送路の通信品質に応じて補正するための一種の係数であり、下り伝送路の通信品質を実際の通信品質よりも仮想的に悪いものとみなすために用いる。この方法の利点として下り伝送路の通信品質の測定結果を直接基地局に通知するのに比べて、シグナリングのビット数や頻度を減らすことができる。【００６７】
図１８は、本発明の実施の形態２に係る移動通信端末装置が実行する、上下品質を考慮したプライマリセル選択処理の変形例を説明するフローチャートである。ステップＳＴ１３００において、基地局はスケジューリング情報シグナリング部４１５を介して上り品質の悪い端末に対してペナルティ係数をシグナリングする。これはＤＬ−Ｅ−ＤＰＣＣＨでもよいし他のチャネルを用いてもよい。基地局から通知されたペナルティ係数は上り伝送路の通信品質を反映したものであるので、端末はこのペナルティ係数から上り伝送路の通信品質を認識することができる。端末は、ステップＳＴ１３０１において、基地局から送信されているＣＰＩＣＨを受信する。端末は受信したＣＰＩＣＨの受信レベルから下り伝送路の通信品質を認識することができる。端末は、ステップ１３０２において、下り伝送路の通信品質を表すＣＰＩＣＨの受信レベルにペナルティ係数を掛けて、下り伝送路の通信品質を実際の通信品質よりも悪く見積もった上で、プライマリセルの選択を行う。そして、端末は、上記のように選択したプライマリセルを、ステップＳＴ１３０３においてＥ−ＤＰＣＣＨを用いて基地局に通知する。【００６８】
図１９は基地局による選択ペナルティ係数決定処理を説明するフローチャートである。以下、図１９を参照して、基地局によるペナルティ係数の決定処理について説明する。ステップＳＴ１６００において、基地局はＳＩＲ算出部４０９を用いて、現在のＳＩＲ値を得る。このＳＩＲ値は値が大きいほど品質がよいことを示す。ステップＳＴ１６０１において、ＳＩＲ算出部４０９は、現在のＳＩＲ値とＴａｒｇｅｔＳＩＲとの差を求める。ＴａｒｇｅｔＳＩＲ値とは、所望品質を確保するために必要なＳＩＲレベルを意味する。ステップＳＴ１６０２において、ＳＩＲ算出部４０９は、測定したＳＩＲのレベルがＴａｒｇｅｔＳＩＲで規定する通信品質を満たしているか（現在のＳＩＲはＴａｒｇｅｔＳＩＲ以上の値である）を判断する。測定したＳＩＲが、ＴａｒｇｅｔＳＩＲが規定する通信品質を満たしている場合には、上り伝送路の通信品質は十分良好であると判断する。測定したＳＩＲが、ＴａｒｇｅｔＳＩＲが規定する通信品質を満たしていない場合には、上り伝送路の通信品質は良好ではないと判断し、ステップＳＴ１６０３に進む。ステップＳＴ１６０３において、ＳＩＲ算出部４０９は、現在のＳＩＲ値とＴａｒｇｅｔＳＩＲとの差に比例した係数を決定する。現在のＳＩＲ値とＴａｒｇｅｔＳＩＲとの差が大きいほど、上り伝送路の通信品質が悪いとみなす。つまり、選択ペナルティ係数値が大きくなる。ステップＳＴ１６０４において、スケジューリング情報シグナリング部４１５は、上記処理により決定した選択ペナルティ係数を状態情報として端末に送信する。【００６９】
次にこのペナルティ係数を基地局から端末にシグナリングするフォーマットについて説明する。図２０は、選択ペナルティ係数、閾値上下コマンドを端末に送信する信号のフォーマットを示す図である。図２０（ａ）は、選択ペナルティ係数を共通チャネルで端末に通知する信号フォーマット、図２０（ｂ）は、閾値上下コマンドを共通チャネルで端末に通知する信号フォーマット、図２０（ｃ）は、選択ペナルティ係数を個別チャネルで端末に通知する信号フォーマット、図２０（ｄ）は、閾値上下コマンドを個別チャネルで端末に通知する信号フォーマットを示す。図２０（ａ）、（ｂ）のように、共通チャネルで選択ペナルティ係数、閾値上下コマンドを通知する場合には、あて先となる端末を個別に通知する必要がある。そのため端末識別子９００を信号フォーマットに含める必要がある。なお、この端末識別子９００として、新たに専用の識別子を定義してもよいが、以下の、１）Serving RNC(Radio Network Controller)/BSS(Base Station Subsystem) RNTI(s-RNTI:Radio Network Temporary Identity)、２）Drift RNC/BSS RNTI(d-RNTI);３）Cell RNTI(c-RNTI);４）UTRAN(Universal Terrestrial Radio Access Network)/GERAN(GSM EDGE Radio Access Network) RNTI(u-RNTI);５）DSCH(Downlink Shared Channel) RNTI(DSCH-RNTI);６）HS-DSCH(High Speed Downlink Shared Channel) RNTI(HS-DSCH RNTI);、６種類の既存の端末識別子を流用することもできる。また、端末識別子に加えて、選択ペナルティ係数を通知する場合には、ＣＲＣビット９０２を付けて誤りを検出可能にすることが望ましい。【００７０】
図２０（ｂ）に示す、共通チャネルを用いて閾値上下コマンドを通知する信号フォーマットについて説明する。この場合は最低１ビットの情報があればよい。そのため端末識別子９００に閾値上下コマンド９０４を付ける。なお複数ビットにすることで冗長度を増加させ、受信誤りを低減させることもできる。また、図２０（ｃ）に示す、個別チャネルを用いて選択ペナルティ係数を通知する信号フォーマットについて説明する。個別チャネルを用いる場合、端末識別子は不要であり、信号フォーマットには選択ペナルティ係数（値）９０１を含めればよい。また、図２０（ｄ）に示す、個別チャネルを用いて閾値上下コマンドを通知する信号フォーマットについても、端末識別子は不要であり、閾値上下コマンド９０４を含めればよい。端末は、選択したプライマリセルをＵＬ  Ｅ−ＤＰＣＣＨ２０４チャネルを介して基地局に通知する。このチャネルが個別チャネルとして利用される場合は、単にプラマリセルとして選択する/しないの１ビットの情報を送信すればよい。一方、ＵＬ  Ｅ−ＤＰＣＣＨ２０４が共通チャネルとして用いられる場合には、基地局識別子Cell Identifierをつけて送信する。なお、実際には、１ビットのみでは誤りが発生しやすいため複数ビットにして送信することが望ましい。【００７１】
基地局は、端末からの通知によりプライマリセルとして選択されたことを認識すると、ステップＳＴ１３０４において、スケジューリングを行って無線リソースを端末に割り当て、ステップＳＴ１３０５において、スケジューリング情報を端末に通知する。端末は、ステップ１３０６において、基地局から通知されたスケジューリング情報に基づいて、Ｅ−ＤＣＨを用いてパケットデータの送信を行う。以上のように、上記説明の端末は、基地局から通知された選択ペナルティから上り伝送路の通信品質を、ＣＰＩＣＨ受信レベルから下り伝送路の通信品質を認識し、ＣＰＩＣＨ受信レベルを選択ペナルティに基づいて、実際よりも通信品質が悪いものと見積もることにより、リンクインバランスの発生を考慮してプライマリセルを選択することができる。なお、ペナルティの替わりにオフセット（Cell Individual Offset）を利用して端末でのＣＰＩＣＨ受信レベルに対して実際よりも通信品質がよいものと見積もることでも同様の機能を実現できる。【００７２】
上記説明の端末は、基地局から通知された、上り伝送路の通信品質を反映した選択ペナルティ係数を用いて下り伝送路の通信品質を実際よりも悪く見積もり、プライマリセルを選択していた。しかし、基地局で上り伝送路の通信品質を測定して、それに見合ったペナルティ係数を端末にシグナリングするのではなく、各基地局から送信されるＴＰＣコマンドに基づいて端末自身が上り伝送路の通信品質を推定し、プライマリセルを選択するようにしてもよい。この方法の利点として上り品質を通知するためのシグナリングを追加する必要がなく、また、端末がセルを選択することができるので、基地局のハードウェアを簡略にすることができる。言い換えるなら、ＴＰＣコマンドは個別チャネルに乗せられ基地局（Ｎｏｄｅ-Ｂ）と端末の個々に存在するものであり端末識別子が不要である。また、ＴＰＣコマンドは現在のＳＩＲ値とＴａｒｇｅｔＳＩＲ値と差が反映されたコマンドといえる。つまりＴＰＣコマンドを流用することで、非明示的シグナリング（直接的なシグナリング送信なしで間接的に同様の情報を類推するタイプのシグナリング）を実現することができる。【００７３】
図２１は、本発明の実施の形態２に係る移動通信端末装置が実行する、上下品質を考慮したプライマリセル選択処理の変形例を説明するフローチャートである。基地局は上りリンクの通信品質に応じて、移動局の送信電力を制御するためのＴＰＣを設定して移動局に通知する。移動局はこのＴＰＣを、上り伝送路の通信品質が反映された一種の状態情報として利用することができる。ステップＳＴ１４００において、基地局は端末にＴＰＣコマンドを送信する。ステップＳＴ１４０１において、端末はＴＰＣコマンド受信部３１０で、平均化もしくは信頼度チェックを行い、ＴＰＣ受信エラーの影響を排除して、基地局から通知されたＴＰＣコマンドを認識する。ステップＳＴ１４０２において、端末はＴＰＣコマンドに含まれる、端末の送信電力の上げ／下げを指示する送信電力制御指示に基づいて上り伝送路の通信品質を推定する。たとえば、ＴＰＣコマンドの送信電力制御指示が「送信電力上げ」を指示している場合、上り伝送路の通信品質は良好ではなく、逆に「送信電力下げ」を指示している場合、上り伝送路の通信品質は良好であることを推定できる。【００７４】
図２１のステップＳＴ１４０１において、ＴＰＣコマンドエラーを回避するために施す処理を説明する。ＴＰＣコマンドエラーを回避する第１の方法（移動局側の処理）として、信頼度の低いＴＰＣを除外する方法がある。信頼度は、ＣＰＩＣＨ受信レベルもしくはＤＰＣＣＨ内の個パイロットより信号対干渉比（ＳＩＲ）を得る。そして、そのＳＩＲ値が低い場合、その基地局からのＴＰＣコマンドは信用できないものとみなし除外する。ただし、この第１の方法は、上り伝送路の通信品質がよく、下り伝送路の通信品質が悪い、つまりリンクインバランスが発生しているセルにおいて適用するには、端末側で実行した信頼度チェックにより、基地局からのＴＰＣが無視されてしまうので、利用できる状況に制約がある。また、ＴＰＣコマンドエラーを回避する第２の方法として、平均化をする方法がある（移動局側の処理）。平均化はある種のフィルタとみなすことができ、このようなフィルタリング処理を行うことにより、ＴＰＣの誤りを取り除くことができる。平均化により、エラーの影響を防ぐことができるが、平均時間が長い場合には結果が出るまでに時間的遅れが生じる問題がある。この対応策として、信頼度に応じて平均時間を可変にする方法が考えられる。つまり、信頼度の高いときには平均化の時間を短くし、信頼度の高い場合には平均化の時間を長くする。【００７５】
また、ＴＰＣコマンドエラーを回避する第３の方法としては、ＴＰＣの送信電力を大きくすることが考えられる（基地局側の処理）。ＤＰＤＣＨに対するＤＰＣＣＨのパワーオフセット（電力の増加分の指定パラメータ）として３つのパラメータが指定できるようになっており、ＰＯ１(Power Offset 1)がＴＦＣＩ（Transport format combination indicator）のパワーオフセット、ＰＯ２がＴＰＣ（Transmission power control）コマンドのパワーオフセット、ＰＯ３がＤＰＣＣＨのパイロットのパワーオフセットである。アップリンクエンハンスメントを利用する場合、すなわち、基地局が基地局制御装置からＥ−ＤＣＨなどの上りリンクの大容量チャネルを追加するように指示された場合に、このＴＰＣ用のパワーオフセット（ＰＯ２）を通常より増加させることでＴＰＣのエラーを防ぐことができる。図２１に対応付けて説明すると、ステップＳＴ１４００において、移動局が基地局から受信したＴＰＣコマンドは、基地局制御装置からＥ−ＤＣＨを追加するように指示された基地局によりパワーオフセットが増加されたものである。【００７６】
さらに第１の方法による信頼度チェックが個別チャネルパイロットを利用する場合、ＰＯ２に加えてＤＰＣＣＨのパイロットのパワーオフセットＰＯ３も増加させることで、信頼度チェックにより除外されることを防ぐことができる。第３の方法はＴＰＣ送信電力自体を増加させるため、効果が期待できる。しかし、基地局の送信電力を余分に利用してしまう欠点がある。第１の方法と併用される場合には、このパワー増加する基地局を上りの品質がよい基地局（ＴＰＣで電力を下げる指示を端末に出している基地局）に対してのみ適用する。端末にとって必要な情報は上り伝送路の通信品質がよい基地局であり、第１の方法と併用して信頼度の低い基地局のＴＰＣは除外されることにより、上り伝送路の通信品質が悪い基地局を上り伝送路の通信品質が良いと間違える可能性はなくなるため、上り伝送路の通信品質が悪い基地局の電力は上げなくてもよい。したがって、基地局の送信電力を節約することができる。【００７７】
また、ＴＰＣコマンドエラーを回避する第４の方法（基地局側と移動局側の処理）としては、ＴＰＣに加えて別の明示的シグナリングを併用するものである。シグナリングを追加しないというメリットを損なわないようにするためには、ＴＦＣＩハードスピリットモードを利用する方法がある。ＴＦＣＩハードスピリットモードとは、Ｗ−ＣＤＭＡシステムにおいて基地局から端末への下り方向のみに存在するもので、ＴＦＣＩビットを前と後ろで分割し、これら分割したＴＦＣＩビットを２種類のＴＦＣＩとして送信するものである。本来は同時に２種類のＴＦＣＩを送信するために存在するものであるが、そのうちの一方はＴＦＣＩとして利用し、もう一方をＴＰＣコマンド、もしくはそれに基づくシグナリングをこのビットに割り当てるものである。これによりＴＰＣに加えてＴＦＣＩにも同様の信号を載せることができＴＰＣのみの場合に対してエラーの影響を減らすことができる。第３の方法も併用するとした場合には、ＴＦＣＩの品質自体も向上させるためにはＴＦＣＩのパワーオフセットＰＯ１も増加させることが望ましい。【００７８】
図２１のステップ１４０３において、端末は基地局から送信されたＣＰＩＣＨを受信する。ここで受信したＣＰＩＣＨの受信レベルを測定することにより、端末は下り伝送路の通信品質を認識することができる。ステップ１４０４において、端末はＴＰＣコマンドから推定した上り伝送路の通信品質が良好であり、かつ、ＣＰＩＣＨ受信レベルから認識した下り伝送路の通信品質がＡＣＫ／ＮＡＣＫ応答信号を受信可能な程度によいセルをサーチし、これをプライマリセルとして選択する。以下のステップＳＴ１４０５〜ステップＳＴ１４０８はすでに説明した処理と同様であるので説明は省略する。【００７９】
この実施の形態によれば上り品質のみまたは下り品質のみのどちらか一方でセルを選択する場合と比較してリンクインバランスを避けるセルを選択することができスループットの向上および不適切なセルを選択する場合の無線リソースの浪費を避ける効果がある。【００８０】
実施の形態３．
上記説明の実施の形態２では、上り伝送路の通信品質と下り伝送路の通信品質を考慮して端末がプライマリセルを決定し、プライマリセルとして決定された基地局からのスケジューリング情報に従ってパケットデータの送信を行う端末について説明した。以下説明する端末は、上り伝送路の通信品質と下り伝送路の通信品質が不均衡になるリンクインバランスの発生に関わらず、最適な上り伝送路の通信品質を確保するために適切なＨＡＲＱ（Hybrid Automatic Repeat reQuest）方式を選択し、スループットを向上させるものである。【００８１】
ここで、ＨＡＲＱ方式について説明する。ＨＡＲＱとはＡＲＱ方式とＦＥＣ(Forward Error  Correction)との組み合わせにより上り伝送路の通信品質を向上させる技術であり、通信品質が変化する伝送路に対しても再送により誤り訂正が有効に機能するという利点がある。特に再送にあたって初送の受信結果と再送の受信結果の合成をすることで更なる品質向上を得ることも可能である。ＨＡＲＱ方式の一例として"Ｃｈａｓｅ  Ｃｏｍｂｉｎｉｎｇ"がある。Ｃｈａｓｅ  Ｃｏｍｂｉｎｉｎｇとは初送と再送に同じデータ系列を送信するものの、再送において初送のデータ系列と再送のデータ系列の合成を行うことで利得を向上させる方式である。これは初送データに誤りがあったとしても部分的に正確なものも含まれており、部分的に正確な初送データと再送データとを合成することでより高精度にデータを送信できるという考え方に基づいている。  【００８２】
また、ＨＡＲＱ方式の一例として"ＩＲ（Incremental  Redundancy）"がある。ＩＲとは冗長度を増加させるものであり、再送においてパリティビットを送信することで初送と組み合わせて冗長度を増加させ、誤り訂正機能により品質を向上させるものである。誤りが多い場合には再送した方が冗長度が高いので、訂正能力が向上する。したがって、ＩＲを用いるほうがＣｈａｓｅ  Ｃｏｍｂｉｎｉｎｇを用いるより効果的な局面もある。しかし、ＩＲを利用した場合にはセル間のＨＡＲＱ状態の同期を取る必要がある。セルが離れている場合、スケジューラ同士で連絡をとり、現在のＨＡＲＱ状態を知ることは困難である。つまり、どれか一つのスケジューラがＡＣＫを送出した場合に、他のセルにあるスケジューラは、端末にＡＣＫが送出されたことを知ることができない。ＳＨＯ状態ではＩＲを利用することは現在何回目の送信になっているのかを基地局が把握する必要があるためシグナリングを多く必要とする。【００８３】
先に説明した図５に示すように、１台の端末が複数の基地局と通信している状況下では、ある基地局１０１ａが端末１００からの送信信号を受信できずにＮＡＣＫを返し、別の基地局１０１ｂが端末１００からの送信信号を受信してＡＣＫを返すことがある。このような場合、基地局１０１ａのスケジューラは端末１００からの再送を待つが、基地局１０１ｂは端末１００から次のパケットデータの送信を待つことになる。基地局１０１ａと１０１ｂの同期を取る場合には基地局制御装置１０２が介入しなければならないので、基地局制御装置１０２を経由した信号のやり取りや基地局制御装置１０２での処理に時間がかかってしまい、結果的にシステム全体のスループットが低下してしまうという問題が生じる。【００８４】
図２２はＣｈａｓｅ  ＣｏｍｂｉｎｉｎｇとＩＲの特性の説明する説明図である。図２２に示すグラフは、縦軸が伝送効率を、横軸が伝送路品質を表している。そして、縦軸は原点から離れるほど伝送効率が向上し、横軸は原点から離れるほど誤り率が高くなり、つまり伝送路品質が悪化することを示す。図２２において、初送でほとんどの場合に送信できるほど伝送路品質が良好な場合（区間Ａ）、ＩＲを用いるのが効率がよい。ＩＲは、Ｃｈａｓｅ  Ｃｏｍｂｉｎｉｎｇよりも初送に情報ビットの数を多く乗せるため、高速伝送が可能となるためである。再送が必要となる場合（区間Ｂ）においては、Ｃｈａｓｅ  Ｃｏｍｂｉｎｉｎｇがより効率がよい。これはＣｈａｓｅ  Ｃｏｍｂｉｎｉｎｇによる初送と再送の合成が効果を表していることによる。さらに伝送路品質が悪く(区間Ｃ)なるとＩＲを用いるのが効率がよい。Ｃｈａｓｅ  Ｃｏｍｂｉｎｉｎｇでは再送してもパリティビットの量は変化しないのに対して、ＩＲは複数回の再送によりパリティビットをさらに送信し、より高い冗長度を実現できるためである。つまり、ＩＲは回線品質が良好で高速データ通信が必要な場合や、回線品質が著しく悪い場合に有効な方式である。【００８５】
さらに、ＨＡＲＱ方式の一例として「マクロ選択合成」がある。マクロ選択合成とは、端末が送信したデータを複数の基地局で受信し、そのデコード結果がＣＲＣ  ＯＫとなるものをさらに基地局制御装置で選択するものである。図２３は、端末が複数の基地局と通信するＳＨＯ状態であり、かつマクロ選択合成を行っている状態を説明する説明図である。図２３において、基地局１０１ｂがＣＲＣ  ＯＫとなった場合に基地局制御装置１０２は基地局１０１ｂを選択する。これにより伝送路が変動する場合においても、状況のよいどれか一つの基地局が受信成功すればよく信頼性の高い伝送が可能となる。この点、図２３には、受信結果のＣＲＣチェックがエラーになった基地局１０１ａと１０１ｃは端末１００にＮＡＣＫを送信し、受信結果のＣＲＣチェックがＯＫであった基地局１０１ｂは端末１００にＡＣＫを送信する。しかしながら、このマクロ選択合成を利用する場合にはハイブリッドＡＲＱの方式においてＣｈａｓｅ  Ｃｏｍｂｉｎｉｎｇを用いることが望ましい。なぜなら、初送と再送が同じものであれば、通信品質が常に変化する伝送路において初送を受信できなかった場合においても再送においてデコードが可能となるためである。これによりマクロ選択合成のメリットを生かすことが可能となる。なお、上りパケットにおいては、マクロ選択合成は図４に示すスケジューラと端末が１対１の場合でも、図５に示すスケジューラと端末が１対多の場合でもどちらでも可能である。  【００８６】
以下、複数の基地局と端末間の上り伝送路の通信品質と下り伝送路の通信品質に応じて、Ｃｈａｓｅ  Ｃｏｍｂｉｎｉｎｇ、ＩＲ、マクロ選択合成のうち、適切なＨＡＲＱ（Hybrid Automatic Repeat reQuest）方式を選択する端末の動作および構成について説明する。説明の便宜上、複数の基地局と端末間の上り伝送路と下り伝送路の通信品質について、下記の２つのケースを想定して説明する。まずケース１として、「複数のセルのうち、他のセルと比較して、所定のセルとの伝送路の通信品質が突出してよい」ケースを想定する。また、ケース２として、「複数のセルのうち、各セルとの伝送路の通信品質が良くない」ケースを想定する。【００８７】
図２４は、本発明の実施の形態３に係る移動通信端末装置の構成を示すブロック図である。以下説明する移動通信端末装置は、プライマリセルの選択結果をもとにＨＡＲＱモードを切り替えて再送を指示をする機能が必要となる。そのため、ＨＡＲＱ切替部３２１が設けられる。ＨＡＲＱ切替部３２１は、プライマリセル選択部３１９の結果に従って、再送制御部３１８にＨＡＲＱ方式の切替えを指示するものである。なお、図２４において図１５と同一の符号は同一又は相当部分を示すので説明は省略する。【００８８】
まずケース１の「複数のセルのうち、他のセルと比較して、所定のセルとの伝送路の通信品質が突出してよい」場合、端末が実行するＨＡＲＱ方式選択処理について説明する。図２５は、ケース１の状況を示す説明図である。図２５には、端末１００が基地局１０１ａとリンク１を介して、基地局１０１ｂとリンク２を介して、基地局１０１ｃとリンク３を介して通信するＳＨＯ状態であることが示される。具体的にはリンク１とリンク２が上り伝送路の通信品質がよいが、下り伝送路の通信品質が悪い状態であり、リンク３が上り伝送路、下り伝送路の通信品質がよい状態を示す。図２５には、リンク１、リンク２は上り伝送路の通信品質と下り伝送路の通信品質が不均衡な、いわゆるリンクインバランスが生じているが、リンク３にはリンクインバランスが生じていない。このような場合、端末１００は、ＨＡＲＱ方式としてマクロ選択合成ではなくＩＲを採用することとし、通信品質がもっとも良好なリンク３を介して基地局１０１ｃとのみ通信を行うことにする。ＩＲは、初送でほぼ確実にデータが送信できる程度に伝送路品質が良好な場合に伝送効率が高く、かつＩＲの弱点であるセル間のＨＡＲＱ状態の同期についても、通信する基地局をひとつに限定すれば問題にならないからである。ＩＲを用いることにより、対象基地局と確実に通信できるのであれば、マクロ選択合成を使えない点についても問題にはならない。【００８９】
端末１００は、図１７で説明したように、プライマリセルを選択するために、複数の基地局との上り伝送路の通信品質および下り伝送路の通信品質を認識する。したがって、端末１００は、ステップＳＴ８０２の処理を行う際に、複数のセルのうち突出して通信品質の良い基地局を認識することができ、この基地局をプライマリセルとして選択するとともに、ステップＳＴ８０３で、当該基地局にプライマリセルとして選択したこと及びＨＡＲＱ方式としてＩＲを用いることを通知する。そして、図２４に示すＨＡＲＱ切替部３２１をＩＲを用いて通信するよう設定する。プライマリセルとして選択した基地局からスケジューリング情報を受信すると、ステップＳＴ８０６において、端末１００は、ＩＲを用いてパケットデータの送信を行う。【００９０】
図２６は、プライマリセルとして選択した基地局とデータ送信に用いるＨＡＲＱ方式を通知するため、端末が送信する信号のフォーマットを示す。図２６において、ＮＤＩ（New  Data  Indicator）６００は、基地局に送信データが初送か、あるいは再送かを認識させるための識別子である。Ｃｈａｓｅ／ＩＲ識別子６０１は、データ送信に用いるＨＡＲＱモードを基地局に認識させるための識別子である。基地局番号６０２は、ＨＡＲＱモードとしてＩＲを選択した場合にどの基地局と通信するか認識させるための識別子である。リダンダンシーバージョン６０３ではＩＲにおいて情報ビット／パリティビットの識別をするものである。なお、このケース１においては再送回数が少ないことが想定されるため、リダンダンシーバージョンのビット数を少なくすることが可能である。例えば送信回数は２回までということであれば１回目と２回目を区別する１ビット存在すればよい。【００９１】
上記説明のように、ケース１においては、伝送路の通信品質が初送でほぼ確実にデータを送信できる程度に良好な基地局に対して、端末が基地局にＩＲを用いてデータ送信することにより情報ビットを効率よく送信することができる。特に、上り伝送路において高速レートの通信を行う際に顕著な効果を発揮する。【００９２】
次に、ケース２の「複数のセルのうち、各セルとの伝送路の通信品質が良くない」場合、端末が実行するＨＡＲＱ方式選択処理について説明する。図２７は、ケース２の状況を示す説明図である。図２７には、端末１００が基地局１０１ａとリンク１を介して、基地局１０１ｂとリンク２を介して、基地局１０１ｃとリンク３を介して通信するＳＨＯ状態であることが示される。具体的にはリンク１とリンク３が上り伝送路の通信品質が悪いが、下り伝送路の通信品質がよい状態であり、リンク２が上り伝送路の通信品質がよいが、下り伝送路の通信品質が悪い状態を示す。図２７には、リンク１〜リンク３は上り伝送路の通信品質と下り伝送路の通信品質が不均衡な、いわゆるリンクインバランスが生じている点で、リンク１〜リンク３の通信品質が悪いケースが示されている。このように、リンク１〜リンク３の通信品質が全体的に悪い場合には、冗長度が不足するＣｈａｓｅ  Ｃｏｍｂｉｎｉｎｇは不適切である。また、すべてのリンクの通信品質が悪い場合には、マクロ選択合成も効果的ではない。このような状況下で、端末がＣｈａｓｅ  Ｃｏｍｂｉｎｉｎｇを利用してデータ送信を行った結果、ＮＡＣＫを受信した場合、端末は、上り伝送路の通信品質は悪く、下り伝送路の通信品質は良好と推定できる。このように、上り伝送路の通信品質が悪い場合には、冗長度が不足するＣｈａｓｅ  ＣｏｍｂｉｎｉｎｇからＩＲにＨＡＲＱ方式を切り換えることで、基地局への送信が成功する可能性がある。【００９３】
ケース２に示す状況下で、マクロ選択合成が効果を発揮していないことを把握して、ＩＲに切り換える判断は、端末ないし基地局制御装置が行うことが考えられる。端末は、複数の基地局から送信された応答信号に基づいて、マクロ選択合成が機能しているか判断することができる。たとえば、基地局からＮＡＣＫを受信した場合、基地局は何らかの受信をしたものの誤り訂正能力が不足しエラーとなったことが判断できる。また、ＮＡＣＫが受信できたということは、下り伝送路の通信品質は良好と判断できる。一方、基地局からの応答信号が受信できなかった場合には、その原因として、上り伝送路の通信品質が著しく悪く、端末からの送信信号が基地局に届いていない場合と、下り伝送路の通信品質が著しく悪く、基地局からの応答信号が端末に届いていない場合と２通り考えられる。どちらにしても、応答信号が端末に届かない基地局はプライマリセルとして選択することは不適切であるので、端末は、ＮＡＣＫを受信できた基地局に対してＥ−ＤＣＨを送信することになる。このとき、ＩＲを利用することにより送信が成功する可能性が高い。【００９４】
図２８は、端末がＨＡＲＱ方式をマクロ選択合成からＩＲに切り換える処理を説明するフローチャートである。ステップＳＴ１０００において、図１５に示す端末は、受信可能な複数の基地局から通知された応答信号（ＡＣＫ／ＮＡＣＫ）を応答信号受信部３１７を用いて受信する。ステップＳＴ１００１において、端末は、応答信号受信部３１７が受信した複数の基地局からの応答信号に基づいて、プライマリセル選択部３１９でマクロ選択合成が機能しているか判断する。プライマリセル選択部３１９は、応答信号としてＡＣＫを通知した基地局が、たとえば全くない場合、マクロ選択合成が機能していないと判断し、ステップＳＴ１００２の処理を実行する。応答信号としてＡＣＫを通知した基地局が存在する場合、マクロ選択合成は機能しており、したがって、ＨＡＲＱ方式をＩＲに切り換える必要性もないので処理を終了する。【００９５】
応答信号としてＡＣＫを通知した基地局がない場合に実行されるステップＳＴ１００２において、端末のプライマリセル選択部３１９は、応答信号としてＮＡＣＫを通知した基地局のうち１つをプライマリセルとして選択する。ＮＡＣＫを通知している基地局は、上り伝送路の通信品質が良くないものの、何らかの信号が基地局に届く程度の通信品質はあり、また、下り伝送路の通信品質は、少なくともＮＡＣＫを受信できる程度に良好と推定できる。そこで、端末はステップＳＴ１００３において、送信信号の冗長度を上げて上り伝送路の通信を成功させるためにＨＡＲＱ方式としてＩＲを用いることを決定して基地局に通知する。そして、端末は、ＩＲを用いてＥ−ＤＣＨを基地局に対して送信する。なお、端末でＩＲへの切替を判断する場合には、端末から基地局に直接通知するためリダンダンシーバージョン（ＲＶ情報）の一部として組み込むことが望ましい。リダンダンシーバージョンとは初送と再送がことなる場合や再送も回数ごとにパリティの含みかた（バージョン）が異なるばあいにどのようなパリティが入っているかを示すものである。【００９６】
図２９は、ケース２の状況下で、端末から基地局にＩＲモードを使用することを基地局に通知する信号のフォーマットである。図２９において、リダンダンシーバージョン６０３は、ケース２の場合、再送が多く発生することが想定されるため、その分リダンダンシーバージョンは多数のパリティの含み方が存在する。なお、図２６と同一の符号は同一又は相当部分を示すので説明は省略する。例えば４回までの送信を考えるなら２ビットは必要であり、８回までの送信を考えるなら３ビット必要である。【００９７】
また、マクロ選択合成が効果を発揮していないことを把握してＩＲに切り換える判断を基地局制御装置が行う場合、基地局制御装置は、各基地局から通知された受信結果（各セルからのＣＲＣ結果）を比較して、マクロ選択合成が機能しているか判断する。そして、マクロ選択合成が機能していないと判断した場合には、複数の基地局のうち、ＮＡＣＫを送信した基地局を選択し、ＨＡＲＱ方式としてＩＲを用いることを決定する。そして、端末にプライマリセルとして選択した基地局と使用するＨＡＲＱ方式（この場合はＩＲ）を通知する。ただし、基地局制御装置で上記処理を行う場合、ＩＲへの切替えを端末へシグナリングする時間がかかる。基地局制御装置において、各基地局からのＣＲＣ結果によりＩＲへの切替を判断する場合はＲＲＣシグナリングにより端末にＩＲの利用を指示する。【００９８】
以上のように実施の形態３のケース２においては、品質がよくない場合にＩＲにより冗長度を高くして誤り訂正をすることを特徴とする。Ｃｈａｓｅ  Ｃｏｍｂｉｎｉｎｇでは冗長度が不足する場合に効果を発揮する。【００９９】
実施の形態４.
上記説明の実施の形態１及び実施の形態２では、基地局及び端末が、リンクインバランスによるスループットの低下を防ぐため、それぞれ上り伝送路の通信品質と下り伝送路の通信品質を考慮してプライマリセルを選択していた。しかし、上り伝送路を高速で大容量のデータを送信する需要があり、高速で大容量のデータを送信するには上り伝送路の通信品質が良好であることが条件となる。プライマリセルを選択するにあたり、上り伝送路の通信品質を優先させる考え方もある。そこで、上り伝送路の通信品質によってプライマリセルを選択する基地局について説明する。この方法の利点として上り信号の品質を測定できる基地局がセル選択をするので、高速な上り伝送路の変化に追従できる。【０１００】
図３０は、上り伝送路の通信品質に基づいてプライマリセルを選択する基地局の処理を示すフローチャートである。ステップＳＴ１００において、基地局制御装置は、各基地局から通知された過去のＳＩＲ値を比較し、プライマリセル選択の基準となる閾値を決定する。この際には少なくとも１つの基地局からはスケジューリングが行われるようにする。ステップＳＴ１０１において、基地局制御装置は、プライマリセル選択の閾値を各基地局へ通知する。基地局制御装置から通知された閾値を受信した基地局は、閾値受信部４２１に閾値を格納する。端末から基地局への上り伝送路の通信品質がこの閾値よりよい場合、プライマリセル選択処理（１対１型）、スケジューリング（１対多型）を行う。一方、ステップＳＴ１０２において、端末は、ＤＰＣＨ送信部３０７を用いてＤＰＣＣＨを基地局に送信する。端末から送信されたＤＰＣＣＨを受信した基地局は、ステップＳＴ１０３において、受信したＤＰＣＣＨからパイロット強度を測定する。そして、ステップＳＴ１０４において、基地局は干渉量測定部４１９により干渉を測定し、ステップＳＴ１０５において、ＳＩＲ算出部４０９によりＳＩＲを算出する。このＳＩＲは端末から基地局への上り伝送路の通信品質を示すパラメータとして用いる。ステップＳＴ１０６において、基地局は、スケジュール許可判定部４２１を用いてＳＩＲと閾値に基づいて、上り伝送路の通信品質が所定のレベルを超えているか判定する。【０１０１】
ステップＳＴ１０６において、たとえば、ＳＩＲで示される上り伝送路の通信品質が閾値を超えている場合、基地局は、ステップＳＴ１０７においてスケジューリングを行い、ステップ１０８において、スケジューリング情報を端末に通知する。基地局からのスケジューリング情報を受信した端末は、スケジューリング結果に基づいて、ステップＳＴ１０９において、Ｅ−ＤＣＨ送信部を介してＥ−ＤＣＨを基地局に送信する。この方式の欠点として伝送路の状況は刻々と変化するため最終的にスケジューリングする基地局の数がわからない。そこでその閾値を上下させるシグナリングを用意し端末から指示する。そのシグナリングは直接基地局へ通知してもよいし、ＲＲＣとよばれるシグナリングにより基地局制御装置へ通知してもよい。そこで、ステップＳＴ１１０において、端末は、必要であればプライマリセル選択部３１９において閾値を変更する。変更した閾値は、Ｅ−ＤＰＣＣＨ送信部３０７より基地局へ直接通知してもよいし、またＤＰＣＨ送信部３０５よりＲＲＣのシグナリングとして基地局制御装置へ通知してもよい。閾値のシグナリング方法としてはＲＲＣシグナリングでもかまわないが、基地局制御装置を経由して基地局に通知されるため時間がかかってしまう。したがって、より高速に基地局において閾値を変化させるため、物理レイヤシグナリングで閾値の上げ下げを指示するものが望ましい。これにより、端末は、閾値を上げることで不必要にスケジューリングするセルを減らし、閾値を下げることで、スケジューリングするセルを増やすことができる。【０１０２】
上記説明によれば、上り伝送路の通信品質に基づいてスケジューリングを行うにあたり、適切なスケジューリングを担当する基地局の選択ができる。また、基地局において閾値を持たせる場合には、上り伝送路の通信品質を反映していながら、変動する伝送路品質に対応した高速なセル選択をすることが可能になり、上り伝送路のスループットを向上させる効果がある。特に、端末から物理レイヤシグナリングで基地局の閾値を変更する場合は、端末が利用しない不要なスケジューリングを抑えることができ、かつ無線リソースの節約が可能である。
【産業上の利用可能性】
【０１０３】
この発明の活用例として上りパケット通信をサポートする携帯電話の端末および基地局に利用できる。
【図１】
0004527119.tif 000002
【図２】
0004527119.tif 000003
【図３】
0004527119.tif 000004
【図４】
0004527119.tif 000005
【図５】
0004527119.tif 000006
【図６】
0004527119.tif 000007
【図７】
0004527119.tif 000008
【図８】
0004527119.tif 000009
【図９】
0004527119.tif 000010
【図１０】
0004527119.tif 000011
【図１１】
0004527119.tif 000012
【図１２】
0004527119.tif 000013
【図１３】
0004527119.tif 000014
【図１４】
0004527119.tif 000015
【図１５】
0004527119.tif 000016
【図１６】
0004527119.tif 000017
【図１７】
0004527119.tif 000018
【図１８】
0004527119.tif 000019
【図１９】
0004527119.tif 000020
【図２０】
0004527119.tif 000021
【図２１】
0004527119.tif 000022
【図２２】
0004527119.tif 000023
【図２３】
0004527119.tif 000024
【図２４】
0004527119.tif 000025
【図２５】
0004527119.tif 000026
【図２６】
0004527119.tif 000027
【図２７】
0004527119.tif 000028
【図２８】
0004527119.tif 000029
【図２９】
0004527119.tif 000030
【図３０】
0004527119.tif 000031
【図３１】
0004527119.tif 000032